(57)【要約】  加熱された炊飯部（１）の底面の熱を外部へ効果的に逃すことができ、炊飯部を載置したテーブル等の上面が過度に加熱される事態を防止できる炊飯器（１００）を提供する。また炊飯部を載置する誘導加熱調理部（２）の強度を向上させる。炊飯器は、被調理物を内部に収容する炊飯部と、炊飯部を上面に載せて加熱調理する誘導加熱調理部と、を備えている。炊飯部は、外殻を形成する上ケース（１０Ｃ）と、上ケースの下端面に隣接してその下方に設けた環状の下枠（１０Ｂ）、とを備えている。下枠には、下枠の底面から誘導加熱調理部に向かって突き出す底面壁（１０Ｐ）が、底面の外縁部に沿って設けられている。底面壁には、底面壁によって囲まれた内部と外部とを連通させる壁面開口部が形成されている。誘導加熱調理部の外殻を構成する下ケースの上面には、上方へ伸びた補強用の支柱が一体に形成されている。
2019064648.tif 000002
【特許請求の範囲】
【請求項１】
被調理物を内部に収容する炊飯部と、  前記炊飯部を上面に載せて加熱調理する誘導加熱調理部と、を備え、  前記誘導加熱調理部は、前記炊飯部を加熱する誘導加熱コイルを有し、  前記誘導加熱調理部と前記炊飯部との間で赤外線信号を伝達する赤外線信号送受信部を備え、  前記炊飯部は、外殻を形成する上ケースと、前記上ケースの下端面に隣接して前記上ケースの下方に設けた、耐熱性材料で形成された環状の下枠と、を備え、  前記下枠には、前記炊飯部の底面を構成する下面から、前記誘導加熱調理部に向かって突き出す底面壁が、前記下枠の下面の外縁部に沿って設けられていることを特徴とする炊飯器。
【請求項２】
被調理物を内部に収容する炊飯部と、  前記炊飯部を上面に載せて加熱調理する誘導加熱調理部と、を備え、  前記誘導加熱調理部は、前記炊飯部を加熱する誘導加熱コイルを有し、  前記誘導加熱調理部と前記炊飯部との間で赤外線信号を伝達する赤外線信号送受信部を備え、  前記炊飯部は、外殻を形成する上ケースと、前記上ケースの下端面の下方に設けた耐熱性材料で形成された環状の下枠とを備え、  前記誘導加熱調理部は、前記炊飯部を載せるトッププレートを備えた耐熱性材料からなる上蓋と、前記上蓋によって上面開口が閉鎖された底のある下ケースと、を備え、  前記上蓋と前記下ケースとの間には、前記上蓋又は前記下ケースの少なくとも何れか一方と一体に形成された支柱又は仕切り壁の、少なくとも何れか一方を備えたことを特徴とする炊飯器。
【請求項３】
被調理物を内部に収容する炊飯部と、  前記炊飯部を上面に載せて加熱調理する誘導加熱調理部と、を備え、  前記誘導加熱調理部の内部には、前記炊飯部を加熱する誘導加熱コイルと、前記誘導加熱調理部と前記炊飯部との間で赤外線信号を伝達する赤外線信号送受信部と、前記誘導加熱コイルに冷却風を供給する冷却ファンと、をそれぞれ設け、  前記誘導加熱調理部は、プラスチック製の上蓋と、前記上蓋と重なり合う大きさを有したプラスチック製の下ケースと、を備え、  前記上蓋の上に前記炊飯部を載せるトッププレートが重ね合わせて固定され、  前記上蓋の下面には、前記誘導加熱コイルを保持するための取付座が一体に形成され、  前記下ケースの底部上面には、前記冷却ファンの吸気口の横において上方へ伸びた仕切り壁を一体に形成し、前記仕切り壁の上端と前記上蓋の下面との間には断熱性材料からなるクッション材が配置されており、  前記赤外線信号送受信部は、前記仕切り壁を挟んで前記冷却ファンと反対側に配置されていることを特徴とする炊飯器。
【請求項４】
被調理物を内部に収容する炊飯部と、  前記炊飯部を上面に載せて加熱調理する誘導加熱調理部と、を備え、  前記誘導加熱調理部の内部には、前記炊飯部を加熱する誘導加熱コイルと、前記炊飯部が前記誘導加熱調理部に載置されたことを検知するリードスイッチと、前記誘導加熱コイルに冷却風を供給する冷却ファンと、をそれぞれ設け、  前記誘導加熱調理部は、プラスチック製の上蓋と、前記上蓋と重なり合う大きさを有したプラスチック製の下ケースと、を備え、  前記上蓋の上に前記炊飯部を載せるトッププレートが重ね合わせて固定され、  前記下ケースの底部上面には、上方へ伸びた仕切り壁を一体に形成し、  前記リードスイッチは、前記仕切り壁を挟んで前記冷却ファンと反対側に配置されていることを特徴とする炊飯器。
【請求項５】
トッププレートと、前記トッププレートの下方に配置された誘導加熱コイルと、前記誘導加熱コイルの加熱条件を入力する第２入力操作手段とを備えた箱型形状の誘導加熱調理部と、  前記誘導加熱コイルによって加熱される内釜と、炊飯条件を入力する第１の入力操作部とを備えた炊飯部と、を備え、  前記炊飯部は、前記誘導加熱調理部の前記トッププレートの上に置かれた状態において、前記誘導加熱コイルの駆動によって加熱されるものであり、  前記誘導加熱調理部の内部には、前記誘導加熱コイルを冷却するための冷却風を供給する冷却ファンと、前記誘導加熱調理部と前記炊飯部との間で、炊飯のための制御情報を含んだ赤外線信号を伝達するための赤外線信号送受信部と、前記炊飯部の制御部のための電力を供給する送電コイルと、をそれぞれ設け、  前記誘導加熱調理部は、プラスチック製の上蓋と、前記上蓋と重なり合う大きさを有したプラスチック製の下ケースとを上下に重ねて外殻ケースが形成され、  前記下ケースの底部上面には、前記上蓋の方向に伸びて前記上蓋の荷重を受ける仕切り壁を一体に形成し、  前記送電コイルは、前記下ケースの底部から上方に突設した支持脚で支持されていることを特徴とする炊飯器。
【請求項６】
前記誘導加熱コイルの真下の位置に、インバーター回路を含む加熱回路基板を配置し、  前記誘導加熱コイルと前記加熱回路基板に対して、前記冷却ファンから同時並行的に冷却風を供給することを特徴とする請求項３又は４に記載の炊飯器。
【請求項７】
前記誘導加熱コイルの真下の位置に、インバーター回路を含む加熱回路基板を配置し、  前記誘導加熱コイルと前記加熱回路基板に対して、同時並行的に冷却風を供給する冷却ファンを更に備えたことを特徴とする請求項２又は５に記載の炊飯器。
【請求項８】
前記下ケースの下面に前記冷却ファンの吸気口を形成し、  前記加熱回路基板は、前記冷却ファンの吸気口の外側から見た場合、視線の陰に隠れるように配置していることを特徴とする請求項６又は７に記載の炊飯器。
【請求項９】
前記赤外線信号送受信部には、赤外線発光素子を有し、  前記赤外線発光素子は、前記仕切り壁に支持されていることを特徴とする請求項２、３、５の何れか１項に記載の炊飯器。
【請求項１０】
前記誘導加熱調理部の外殻を構成する部材が、プラスチック製の上蓋と、前記上蓋と重なり合う大きさを有したプラスチック製の有底の箱型の下ケースとによって構成されていることを特徴とする請求項１に記載の炊飯器。
【請求項１１】
前記誘導加熱調理部の外殻を構成する部材が、プラスチック製の上蓋と、前記上蓋と重なり合う大きさを有したプラスチック製の有底の箱型の下ケースとによって構成され、  前記上蓋の下面には、誘導加熱コイルを支持する耐熱プラスチック製の支持枠を支持する取付座を、一体成形によって形成していることを特徴とする請求項１に記載の炊飯器。
【請求項１２】
前記赤外線信号送受信部には、赤外線発光素子を有し、  前記赤外線発光素子の赤外線信号を透過させるための窓が、前記誘導加熱調理部と前記炊飯部とが重なりあって近接又は接触している前記上蓋の一部分に形成されていることを特徴とする請求項２、３、５、１０の何れか１項に記載の炊飯器。
【請求項１３】
前記誘導加熱調理部は、プラスチック製の上蓋と、前記上蓋と重なり合う大きさを有したプラスチック製の下ケースとを備え、  前記誘導加熱調理部の内部には、前記誘導加熱コイルによる加熱領域を避けて、前記誘導加熱コイルの周囲の少なくとも２カ所に、前記下ケースの上面から一体に上方へ伸びた支柱を形成していることを特徴とする請求項１に記載の炊飯器。
【請求項１４】
前記誘導加熱調理部の内部には、前記誘導加熱コイルによる加熱領域を避けて、前記誘導加熱コイルの周囲の少なくとも２カ所に、前記下ケースの上面から一体に上方へ伸びた支柱を形成していることを特徴とする請求項２又は３に記載の炊飯器。
【請求項１５】
前記仕切り壁の上端と前記上蓋の下面との間には断熱性材料からなるクッション材が配置されていることを特徴とする請求項４に記載の炊飯器。
【請求項１６】
前記上蓋の上に前記トッププレートが重ね合わせて固定されていることを特徴とする請求項２〜４の何れか１項に記載の炊飯器。
【請求項１７】
前記炊飯部が前記誘導加熱調理部に載置されたことを検出するリードスイッチを更に備え、  前記リードスイッチは、前記仕切り壁に支持されていることを特徴とする請求項２又は３に記載の炊飯器。
【請求項１８】
前記炊飯部が前記誘導加熱調理部に載置されたことを検出するリードスイッチを更に備え、  前記リードスイッチは、前記仕切り壁の真上に配置していることを特徴とする請求項２又は３に記載の炊飯器。
【請求項１９】
前記誘導加熱調理部と前記炊飯部との間で赤外線信号を伝達する赤外線信号送受信部を更に備え、  前記赤外線信号送受信部と前記リードスイッチは、前記誘導加熱コイルによる加熱領域を避けて前記誘導加熱調理部に設けたことを特徴とする請求項４に記載の炊飯器。
【請求項２０】
前記誘導加熱調理部と前記炊飯部との間で赤外線信号を伝達する赤外線信号送受信部を更に備え、  前記赤外線信号送受信部と前記リードスイッチは、前記誘導加熱コイルによる加熱領域を避けて前記誘導加熱調理部に設け、  前記赤外線信号送受信部と前記リードスイッチは、前記仕切り壁の真上に配置していることを特徴とする請求項４に記載の炊飯器。
【請求項２１】
前記支柱は、前記下ケースの底面から前記上蓋の方向に向かって垂直に一体に形成されていることを特徴とする請求項２に記載の炊飯器。
【請求項２２】
前記支柱は、前記下ケースの底面から前記上蓋の方向に向かって垂直に一体に形成され、  前記支柱は、前記誘導加熱コイルによる加熱領域を避けて、前記誘導加熱コイルの周囲の少なくとも２カ所に形成していることを特徴とする請求項２に記載の炊飯器。
【請求項２３】
前記支柱は、前記下ケースの底面から前記上蓋の方向に向かって前記下ケースの上面と一致する水平位置まで垂直に一体に形成され、前記水平位置で前記上蓋と接していることを特徴とする請求項２に記載の炊飯器。
【請求項２４】
前記支柱と前記上蓋との間には、クッション材又は断熱性の高い材料からなる介在物を介在させたことを特徴とする請求項２３に記載の炊飯器。
【請求項２５】
前記炊飯部又は前記誘導加熱調理部には、前記炊飯部で行った炊飯の重量を計測する重量センサーと、前記重量センサーの計測結果に応じてカロリー値を計算する制御部と、前記カロリー値を表示する表示部と、をそれぞれ備えたことを特徴とする請求項１〜５の何れか１項に記載の炊飯器。
【請求項２６】
前記炊飯部には、前記誘導加熱調理部から非接触給電で電源を受ける給電部を有していることを特徴とする請求項１〜５の何れか１項に記載の炊飯器。
【請求項２７】
前記炊飯部には、炊飯に関する情報を表示する第１の表示部と、前記誘導加熱調理部から非接触給電で電力を受ける給電部とを有し、  前記誘導加熱調理部には、誘導加熱調理に関する情報を表示する第２の表示部と、前記給電部へ電力を供給するための送電コイルとを備え、  前記炊飯部が前記誘導加熱調理部の上に載置されない状態では、前記第１の表示部は、前記給電部からの電力で動作することを特徴とする請求項１〜４の何れか１項に記載の炊飯器。
【請求項２８】
前記誘導加熱調理部の外殻を構成する部材が、プラスチック製の上蓋と、前記上蓋と重なり合う大きさを有したプラスチック製の有底の箱型の下ケースとによって構成され、  前記誘導加熱コイルの真下の位置に、インバーター回路を含む加熱回路基板を配置し、  前記誘導加熱コイルと前記加熱回路基板に対して、同時並行的に冷却風を供給する冷却ファンを更に備え、  前記下ケースの下面に前記冷却ファンの吸気口を形成し、  前記加熱回路基板は、前記冷却ファンの吸気口の外側から見た場合、視線の陰に隠れるように配置していることを特徴とする請求項１に記載の炊飯器。
【請求項２９】
前記炊飯部には、炊飯に関する情報を表示する第１の表示部と、前記誘導加熱調理部から非接触給電で電力を受ける給電部とを有し、  前記誘導加熱調理部には、誘導加熱調理に関する情報を表示する第２の表示部を備え、  前記送電コイルは、前記給電部へ電力を供給し、  前記炊飯部が前記誘導加熱調理部の上に載置されない状態では、前記第１の表示部は、前記給電部からの電力で動作することを特徴とする請求項５に記載の炊飯器。
【発明の詳細な説明】
【技術分野】
【０００１】  本発明は、被調理物を内部に収容する炊飯部と、炊飯部を上面に載せて加熱調理する誘導加熱調理部とで構成された分離型の炊飯器に関するものである。
【背景技術】
【０００２】  従来、例えば特許文献１に開示されているように、被調理物を内部に収容する炊飯部と、炊飯部を上面に載せて加熱調理する中空の箱形の誘導加熱調理部とで構成された分離型の炊飯器が知られている。特許文献１の炊飯器は、炊飯部と誘導加熱調理部とを分離させることで、炊飯部を御櫃として食卓に運んで使用することができ、誘導加熱調理部をＩＨ調理器として単独で使用することができる。
【先行技術文献】
【特許文献】
【０００３】
【特許文献１】特開２０１７−０７９２０７号公報
【発明の概要】
【発明が解決しようとする課題】
【０００４】  特許文献１に開示された炊飯器では、分離した炊飯部を御櫃として食卓に運び、テーブル等に載置させた場合、誘導加熱調理部によって加熱された炊飯部の底面によってテーブルの上面が加熱される。そのため、熱によって変形しやすいテーブルクロス等のシートをテーブルの上面に敷いていた場合には、シートが炊飯部によって加熱されて変形等する虞がある。  また、米と水とを収容した炊飯部の重量は、通常の鍋等に比較して重いので、長期間の使用によって、誘導加熱調理部の上に炊飯部が繰り返し載せられ、誘導加熱調理部が炊飯部の重量によって変形する可能性があり、誘導加熱調理部と炊飯部との対向間隔が変化して、期待通りの炊飯動作が行えない事態を招く懸念がある。【０００５】  本発明は、上記のような課題を解決するためのものであり、加熱された炊飯部の底面の熱を外部へ効果的に逃すことができ、炊飯部を載置したテーブル等の上面が過度に加熱される事態を防止できる炊飯器を提供することを第１の目的とする。  また加熱された炊飯部を載せる誘導加熱調理部の機械的強度を増強し、炊飯部を安定的に載置できる炊飯器を提供することを第２の目的とする。
【課題を解決するための手段】
【０００６】  第１の目的のため、本発明に係る炊飯器は、被調理物を内部に収容する炊飯部と、前記炊飯部を上面に載せて加熱調理する誘導加熱調理部と、を備え、前記誘導加熱調理部は、前記炊飯部を加熱する誘導加熱コイルを有し、前記誘導加熱調理部と前記炊飯部との間で赤外線信号を伝達する赤外線信号送受信部を備え、前記炊飯部は、外殻を形成する上ケースと、前記上ケースの下端面に隣接して前記上ケースの下方に設けた、耐熱性材料で形成された環状の下枠と、を備え、前記下枠には、前記炊飯部の底面を構成する下面から、前記誘導加熱調理部に向かって突き出す底面壁が、前記下枠の下面の外縁部に沿って設けられているものである。【０００７】  第２の目的のため、本発明に係る炊飯器は、被調理物を内部に収容する炊飯部と、前記炊飯部を上面に載せて加熱調理する誘導加熱調理部と、を備え、前記誘導加熱調理部は、前記炊飯部を加熱する誘導加熱コイルを有し、前記誘導加熱調理部と前記炊飯部との間で赤外線信号を伝達する赤外線信号送受信部を備え、前記炊飯部は、外殻を形成する上ケースと、前記上ケースの下端面の下方に設けた耐熱性材料で形成された環状の下枠とを備え、前記誘導加熱調理部は、前記炊飯部を載せるトッププレートを備えた耐熱性材料からなる上蓋と、前記上蓋によって上面開口が閉鎖された底のある下ケースと、を備え、前記上蓋と前記下ケースとの間には、前記上蓋又は前記下ケースの少なくとも何れか一方と一体に形成された支柱又は仕切り壁の、少なくとも何れか一方を備えているものである。  また、第２の目的のため、本発明に係る炊飯器は、被調理物を内部に収容する炊飯部と、前記炊飯部を上面に載せて加熱調理する誘導加熱調理部と、を備え、前記誘導加熱調理部の内部には、前記炊飯部を加熱する誘導加熱コイルと、前記誘導加熱調理部と前記炊飯部との間で赤外線信号を伝達する赤外線信号送受信部と、前記誘導加熱コイルに冷却風を供給する冷却ファンと、をそれぞれ設け、前記誘導加熱調理部は、プラスチック製の上蓋と、前記上蓋と重なり合う大きさを有したプラスチック製の下ケースと、を備え、前記上蓋の上に前記炊飯部を載せるトッププレートが重ね合わせて固定され、前記上蓋の下面には、前記誘導加熱コイルを保持するための取付座が一体に形成され、前記下ケースの底部上面には、前記冷却ファンの吸気口の横において上方へ伸びた仕切り壁を一体に形成し、前記仕切り壁の上端と前記上蓋の下面との間には断熱性材料からなるクッション材が配置されており、前記赤外線信号送受信部は、前記仕切り壁を挟んで前記冷却ファンと反対側に配置されているものである。  また、第２の目的のため、本発明に係る炊飯器は、被調理物を内部に収容する炊飯部と、前記炊飯部を上面に載せて加熱調理する誘導加熱調理部と、を備え、前記誘導加熱調理部の内部には、前記炊飯部を加熱する誘導加熱コイルと、前記炊飯部が前記誘導加熱調理部に載置されたことを検知するリードスイッチと、前記誘導加熱コイルに冷却風を供給する冷却ファンと、をそれぞれ設け、前記誘導加熱調理部は、プラスチック製の上蓋と、前記上蓋と重なり合う大きさを有したプラスチック製の下ケースと、を備え、前記上蓋の上に前記炊飯部を載せるトッ���プレートが重ね合わせて固定され、前記下ケースの底部上面には、上方へ伸びた仕切り壁を一体に形成し、前記リードスイッチは、前記仕切り壁を挟んで前記冷却ファンと反対側に配置されているものである。【０００８】  第２の目的のため、本発明に係る炊飯器は、トッププレートと、前記トッププレートの下方に配置された誘導加熱コイルと、前記誘導加熱コイルの加熱条件を入力する第２入力操作手段とを備えた箱型形状の誘導加熱調理部と、前記誘導加熱コイルによって加熱される内釜と、炊飯条件を入力する第１の入力操作部とを備えた炊飯部と、を備え、前記炊飯部は、前記誘導加熱調理部の前記トッププレートの上に置かれた状態において、前記誘導加熱コイルの駆動によって加熱されるものであり、前記誘導加熱調理部の内部には、前記誘導加熱コイルを冷却するための冷却風を供給する冷却ファンと、前記誘導加熱調理部と前記炊飯部との間で、炊飯のための制御情報を含んだ赤外線信号を伝達するための赤外線信号送受信部と、前記炊飯部の制御部のための電力を供給する送電コイルと、をそれぞれ設け、前記誘導加熱調理部は、プラスチック製の上蓋と、前記上蓋と重なり合う大きさを有したプラスチック製の下ケースとを上下に重ねて外殻ケースが形成され、前記下ケースの底部上面には、前記上蓋の方向に伸びて前記上蓋の荷重を受ける仕切り壁を一体に形成し、前記送電コイルは、前記下ケースの底部から上方に突設した支持脚で支持されているものである。
【発明の効果】
【０００９】  本発明に係る第１の発明の炊飯器によれば、炊飯部の下枠によって炊飯部の底面の熱が、炊飯部を載置したテーブル等の上面を過度に加熱することを防止できる。  また、第２の発明の炊飯器によれば、炊飯部を載せる誘導加熱調理部の機械的強度を増強し、炊飯部を安定的に載置でき、安定した炊飯動作が期待できる。
【図面の簡単な説明】
【００１０】
【図１】本発明の実施の形態１に係る炊飯器を上面側から見た外観斜視図である。
【図２】本発明の実施の形態１に係る炊飯器の側面図である。
【図３】本発明の実施の形態１に係る炊飯器であって、一部破断して内部構造を示した側面図である。
【図４】本発明の実施の形態１に係る炊飯器であって、一部破断して内部構造を示した正面図である。
【図５】本発明の実施の形態１に係る炊飯器の炊飯部を底面側から見た外観斜視図である。
【図６】本発明の実施の形態１に係る炊飯器の誘導加熱調理部を示した外観斜視図である。
【図７】本発明の実施の形態１に係る炊飯器の誘導加熱調理部の異なる形態を示した外観斜視図である。
【図８】本発明の実施の形態２に係る炊飯器の誘導加熱調理部の平面図である。
【図９】図８のＸ１−Ｘ１線で見た場合の縦断面図である。
【図１０】図８のＹ１−Ｙ１線で見た場合の縦断面図である。
【図１１】本発明の実施の形態３に係る炊飯器の縦断面図である。
【図１２】図１１の炊飯器の左側部分の要部縦断面図である。
【図１３】本発明の実施の形態４に係る炊飯器の前方部を拡大して示す縦断面図である。
【図１４】本発明の実施の形態５に係る炊飯器の誘導加熱調理部を示す平面図である。
【図１５】図１４のＸ２−Ｘ２線における縦断面図である。
【図１６】本発明の実施の形態６に係る炊飯器において、誘導加熱調理部の前半部分を示す縦断面図である。
【図１７】本発明の実施の形態７に係る炊飯器において、炊飯部の下部と誘導加熱調理部とを示す縦断面図である。
【図１８】本発明の実施の形態８に係る炊飯器において、誘導加熱調理部の前方部と炊飯部の前方下部とを拡大して示した縦断面図である。
【図１９】本発明の実施の形態９に係る炊飯器において、誘導加熱調理部の左側方部と炊飯部の左側方部とを拡大して示した縦断面図である。
【発明を実施するための形態】
【００１１】  以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】  実施の形態１．  実施の形態１の炊飯器１００は、図１〜図５に示している。  図１は、実施の形態１に係る炊飯器１００を上面側から見た外観斜視図である。図２は、実施の形態１に係る炊飯器１００の側面図である。図３は、実施の形態１に係る炊飯器１００であって、一部破断して内部構造を示した側面図である。図４は、実施の形態１に係る炊飯器１００であって、一部破断して内部構造を示した正面図である。図５は、実施の形態１に係る炊飯器１００の炊飯部１を底面側から見た外観斜視図である。
【００１３】  図１に破線の矢印で示すように、以下の説明において「右」は右側方を示し、「左」は左側方を示す。また「後」は後方を示し、「前」は前方方向を示す。特に断りがない限り、このような定義で方向を示す。
【００１４】  実施の形態１に係る炊飯器１００は、図１に示すように、被調理物を内部に収容する炊飯部１と、炊飯部１を上面に載せて加熱調理する誘導加熱調理部２と、で構成された分離型炊飯器である。炊飯器１００は、炊飯部１と誘導加熱調理部２とを分離して、それぞれ単独で使用することができる。つまり、炊飯器１００は、分離した炊飯部１を御櫃として食卓に運んで使用することができ、分離した誘導加熱調理部２をＩＨ調理器として使用することができる。炊飯部１と誘導加熱調理部２には、それぞれ内部に制御部４０（図２参照）及び制御部２３（図３参照）が設けられており、制御部４０及び制御部２３にそれぞれ接続された（赤外線通信用の）通信端子（赤外線信号送受信部４１）で無線通信が行われる。通信端子については、あとで詳しく説明する。なお、制御部２３及び制御部４０は、中核となる中央制御部に、それぞれマイクロコンピュータが使用されている。
【００１５】  誘導加熱調理部２は、家庭用の電源に接続できる電源プラグを一端部に備えた電源コードを有しているので、誘導加熱調理部２は単体で使用できる。これに対し、炊飯部１は、電源に接続された誘導加熱調理部２を起動し、その誘導加熱調理部２に内蔵された誘導加熱コイル２４から、非接触給電方式で電力を受けて動作する。つまり、炊飯部１は、単体では、後述する給電部２９が無いと運転できない。なお、非接触給電は、炊飯部１の底部に設けた受電コイル５１（図３参照）と、受電コイル５１の真下の位置となるよう、誘導加熱調理部２の天井部に配置した送電コイル５０（図３参照）との間で行われる。
【００１６】  図３において、給電部２９は、内釜１３よりも後方の空間に設けられている。給電部２９は、例えば、鉛蓄電池、ニッケル水素蓄電池、リチウムイオン蓄電池等の二次電池で構成されている。なお、給電部２９は、二次電池で構成されることに限定されるものではなく、乾電池等の一次電池で構成されていてもよい。このように、給電部２９が一次電池で構成されている場合には、給電部２９を取り替える可能性を考慮して、給電部２９の一次電池を容易に取り替えられるような位置に設けることが望ましい。
【００１７】  炊飯部１の制御部４０は、受電コイル５１によって得た電力によって運転される。また第１の表示部４２も、受電コイル５１によって得た電力によって表示動作を行う。
【００１８】  先ず、炊飯部１の構成について説明する。炊飯部１は、図１及び図２に示すように、上面を開口した本体部１０と、ヒンジ機構部１２によって本体部１０に回動自在に連結されて本体部１０の上面開口を開閉可能に覆う蓋体１１と、を備えている。
【００１９】  本体部１０は、図１〜図５に示すように、外観が有底筒状とされ、内部に内釜１３が着脱自在に装着させる。本体部１０の前面側には、蓋体１１の開閉を行う蓋開閉ボタン１０ａが設けられている。使用者は、蓋開閉ボタン１０ａを押すことで、蓋体１１の閉状態が解除され、本体部１０を開口させることができる。
【００２０】  また、本体部１０には、図１及び図２に示すように、炊飯部１を誘導加熱調理部２から分離させて持ち運ぶ際のハンドル１４が取り付けられている。ハンドル１４は、略Ｕ字形状であり、両端部が本体部１０の左右の両側面に、それぞれ回動自在に取り付けられている。
【００２１】  本体部１０には、図５に示すように、底面から誘導加熱調理部２に向かって突き出す底面壁１０Ｐが、底面の外縁部に沿って設けられている。底面壁１０Ｐには、底面壁１０Ｐによって囲まれた内部と外部とを連通させる壁面開口部３０が形成されている。
【００２２】  本体部１０は、外殻を構成するプラスチック材料から一体に筒状に形成された上ケース１０Ｃと、上ケース１０Ｃの底面の開口部全体を覆うように、上ケース１０Ｃの下方に設けられ、耐熱性材料で形成された環状の下枠１０Ｂとを備えている。
【００２３】  下枠１０Ｂは、上ケース１０Ｃの底面を覆うように、ネジ（図示せず）で上ケース１０Ｃに結合されており、下枠１０Ｂの下部が、誘導加熱調理部２に向かって突き出す底面壁１０Ｐとなる。なお、下枠１０Ｂの材料は、例えば、ＰＥＴ又はＰＡなどである。上ケース１０Ｃの材料は、ＰＰ又はＡＢＳなどである。「ＰＥＴ」とは、ポリエチレンテレフタレートのことをいう。また「ＰＡ」はポリアミド、「ＰＰ」は、ポリプロピレンのことを意味する。
【００２４】  下枠１０Ｂの中央部には円形の大きな穴１６が形成されている。容器１７は、有底円筒状に形成され、後述する有底円筒状の内釜１３の周囲を覆っている。容器１７の底面は、穴１６に緊密状態で嵌り合っており、穴１６を密閉している。なお、容器１７の材料は、例えば、ＰＥＴ又はＰＡなどである。
【００２５】  図３において、破線ＰＬ１は、下枠１０Ｂの最上面の位置を示す水平線である。破線ＰＬ１から分かるように、下枠１０Ｂは高さ寸法が小さく（１０ｍｍ〜２０ｍｍ程度）、平面形状が環状（リング状）の部品である。
【００２６】  図３に示した破線ＰＬ１は、炊飯部１の外観上で上ケース１０Ｃと下枠１０Ｂとの境界が認識できる高さ（範囲）を示している。  以下、ＰＬ１は、「第１の分離線」と呼ぶ。
【００２７】  壁面開口部３０は、下枠１０Ｂの底面壁１０Ｐを切り欠いて形成された台形状の切り欠き孔である。壁面開口部３０は、下枠１０Ｂの全周に沿って間隔をあけて複数個（図示例では１２個）形成されている。壁面開口部３０は、誘導加熱調理部２から分離させた炊飯部１を、いわゆる御櫃として食卓に運びテーブル等に載置させた場合に、加熱された炊飯部１の底面の熱を外部へ逃がす目的で形成されている。壁面開口部３０は、空気の対流を形成するため、本体部１０の前後左右において互いに対向するように、下枠１０Ｂの底面壁１０Ｐに形成することが望ましい。なお、炊飯動作が行われた際には、炊飯部１の特に内釜１３が誘導加熱されるので、誘導加熱による熱を受けて、容器１７の温度が上昇する。
【００２８】  なお、壁面開口部３０の形状、大きさ、及び個数は、図示した形態に限定されない。壁面開口部３０は、例えば周囲が囲まれた矩形孔又は円形孔でもよい。また、壁面開口部３０は、円弧状に切り欠いた切り欠き孔でもよい。要するに、壁面開口部３０は、本体部１０の大きさに応じて適宜設計変更して設けるものとする。
【００２９】  また、本体部１０には、図３及び図５に示すように、底面に形成された吸気孔４と、背面側の側面に形成されて吸気孔４と連通する排気孔５とを有している。つまり、炊飯部１は、吸気孔４と排気孔５によって、底面壁１０Ｐで囲まれた内部と外部とが連通している。これにより、炊飯部１は、吸気孔４と排気孔５で空気の対流を形成することができるので、壁面開口部３０から流入した空気によって、加熱された炊飯部１の底面の熱を吸気孔４から排気孔５を通じて外部へ逃がすことができる。
【００３０】  なお、排気孔５は、本体部１０の背面側の側面に形成された構成に限定されない。排気孔５は、例えば本体部１０のその他の側面、或いは蓋体１１に設けてもよい。要するに、排気孔５は、吸気孔４と連通して壁面開口部３０と共に空気の対流を形成することができれば、炊飯部１のどの位置に設けてもよい。
【００３１】  また、実施の形態１の炊飯器１００は、必ずしも吸気孔４と排気孔５とを設ける必要はなく、壁面開口部３０のみで、加熱された炊飯部１の底面の熱を外部へ逃がす構成でもよい。
【００３２】  内釜１３は、有底円筒形状を有し、誘導加熱により発熱する炭素材で構成される。なお、内釜１３は、例えばセラミック等の非金属材料で形成される容器（いわゆる土鍋）又はアルミニウムとステンレスのクラッド材等を使用した金属容器であっても良い。内釜１３の内部には、被調理物である米及び水が収容される。
【００３３】  蓋体１１は、本体部１０の上面開口を開閉可能に覆うものである。蓋体１１は、背面側の端部がヒンジ機構部１２によって本体部１０の上部に連結されている。蓋体１１は、閉じた状態で蓋開閉ボタン１０ａが押下されると、ヒンジ機構部１２のヒンジ軸を中心として回動させることができる。蓋体１１には、図１に示すように、炊飯部１の内部で生じた蒸気を逃すための蒸気口１１ａが設けられている。
【００３４】  また、蓋体１１には、図１に示すように、使用者によって炊飯条件等が入力される第１の入力操作部１５が設けられている。第１の入力操作部１５は、例えば予熱工程、炊飯工程、むらし工程等を実行するための操作入力を受け付ける操作手段である。第１の入力操作部１５は、図２に図示した制御部４０に接続されており、赤外線信号送受信部４１（図示せず）を通じて、誘導加熱調理部２に対し入力操作信号が赤外線信号として発信される。なお、第１の入力操作部１５は、押圧式の入力キー１５Ａが複数個配置された構成であるが、タッチ式の入力キー１５Ａとしてもよいし、両者を併用してもよい。
【００３５】  蓋体１１の上面前方部には、第１の入力操作部１５による入力操作結果又は炊飯動作等を数字、文字、又は記号等で表示するための第１の表示部４２が左右に設けてある。なお、第１の表示部４２は、例えば液晶表示画面を備えた液晶表示基板で構成されている。
【００３６】  次に、誘導加熱調理部２の構成を、図１〜図５を参照しつつ、図６及び図７に基づいて説明する。図６は、実施の形態１に係る炊飯器１００の誘導加熱調理部２を示した外観斜視図である。図７は、実施の形態１に係る炊飯器１００の誘導加熱調理部２の異なる形態を示した外観斜視図である。誘導加熱調理部２は、例えば食卓などの上に置いて使用する卓上型の電磁調理器である。
【００３７】  誘導加熱調理部２は、図６に示すように、外観が薄型の略直方体状である。誘導加熱調理部２は、上面に結晶化ガラス等の耐熱性素材で構成されたトッププレート２０が設けられている。誘導加熱調理部２には、トッププレート２０の外周縁に沿って下方に窪んだ段差部２１が形成されている。誘導加熱調理部２の段差部２１は、炊飯部１の底面壁１０Ｐ（下枠１０Ｂ）の下端面が突き当たり、該底面壁１０Ｐがきっちりと収まる形状及び大きさで形成されている。つまり、炊飯器１００は、炊飯部１を誘導加熱調理部２に載置させた場合、誘導加熱調理部２の段差部２１に炊飯部１の底面壁１０Ｐが嵌り、トッププレート２０が底面壁１０Ｐの内部に収納されるようになっている。
【００３８】  誘導加熱調理部２の段差部２１には、壁面開口部３０と対向する位置に、壁面開口部３０に嵌まる突起部６が設けられている。これは、誘導加熱調理部２の上面に炊飯部１を載せて加熱調理する際に、突起部６で壁面開口部３０を塞ぎ、誘導加熱調理部２によって加熱された熱が外部へ漏れること防止するためである。また、炊飯器１００の側面を孔のないフラットな状態とし、布巾等で汚れをふき取る際の清掃性を高めるためでもある。
【００３９】  突起部６は、先端部が誘導加熱調理部２のトッププレート２０よりも下方となるように設けられている。これは、炊飯部１を分離して誘導加熱調理部２をＩＨ調理器として単独で使用する場合であって、調理容器をトッププレート２０に載せる際に、突起部６の存在が邪魔にならないようにし、様々な大きさの調理容器の使用を可能にするためである。また、誘導加熱調理部２のトッププレート２０に調理容器の底面を密着させて誘導加熱効率を確保するためでもある。
【００４０】  なお、図７は、実施の形態１に係る炊飯器１００の誘導加熱調理部２の異なる形態を示した外観斜視図である。図７に示すように、突起部７は、段差部２１において、先端部が誘導加熱調理部２のトッププレート２０よりも上方となるように設けてもよい。この場合、炊飯器１００は、トッププレート２０に納まる小さい調理容器を使用すると、突起部７によって調理容器の移動範囲が制限されるので、調理中に調理容器が傾いたり、トッププレート２０から誤って落下したりするといった事態を防止することができる。
【００４１】  誘導加熱調理部２には、図６に示すように、上面の前方側に第２の入力操作部２２が設けられている。第２の入力操作部２２は、押圧式の各種入力ボタン２２Ａが配置されており、制御部２３に接続されている。各種入力ボタン２２Ａとは、例えば火力、調理メニュー、及び調理時間等の各種条件を入力するものである。誘導加熱調理部２は、第２の入力操作部２２を操作することで、炊飯部１と無関係に単独で誘導加熱調理を行える。第２の入力操作部２２は、図１〜図４に示すように、炊飯部１と誘導加熱調理部２とを組み合わせた場合、トッププレート２０と共に底面壁１０Ｐの内部に収納されるようになっている。言い換えると、第２の入力操作部２２は、使用者によって操作できないように炊飯部１で覆われる。
【００４２】  第２の入力操作部２２による入力操作結果又は誘導加熱動作等を数字、文字、又は記号等で表示するための第２の表示部２８が左右に設けてある。
【００４３】  また、誘導加熱調理部２の内部には、図３及び図４に示すように、誘導加熱コイル２４と、温度センサー２５と、フェライト２６と、電源基板２７、送電コイル５０とが、それぞれ設けられている。誘導加熱コイル２４は、誘導加熱調理部２の内部のほぼ中央に配置されており、第１の入力操作部１５及び第２の入力操作部２２の操作入力に基づいて制御部２３によって制御される。誘導加熱コイル２４は、通電により交番磁界を発生し、被加熱物を電磁誘導により加熱する。また、温度センサー２５は、内釜１３又はトッププレート２０の温度を検知するために設けられており、制御部２３に接続されている。
【００４４】  また、フェライト２６は、細長い板状を呈しており、誘導加熱コイル２４の巻線と直交するように設けられている。フェライト２６は、誘導加熱コイル２４から発生する磁力線をトッププレート２０の上方の被加熱物に集中させるために設けられている。
【００４５】  また、誘導加熱調理部２の内部の背面側には、電源基板２７が設けられている。電源基板２７は、商用電源の交流電力を直流電力に変換するコンバーターと、コンバーターからの直流電力を交流電力に変換し、誘導加熱コイル２４に供給するインバーターと、インバーターを制御する制御回路と、が実装されている。電源基板２７は、信号線を介して制御部２３と接続されている。
【００４６】  なお、炊飯部１の赤外線信号送受信部４１（図示せず）から送信された入力操作信号（赤外線信号）を受信する赤外線信号送受信部６２が、誘導加熱調理部２の内に収納されているが、図示していない。
【００４７】  赤外線信号送受信部４１及び赤外線信号送受信部６２は、赤外線通信端末（通信部）であり、赤外線信号の受信部と送信部をそれぞれ備えている。炊飯部１から誘導加熱調理部２に対して、入力操作信号、及び内釜１３の温度検出信号等が、その都度送信される。逆に、誘導加熱調理部２から炊飯部１に対しては、炊飯部１が正規の位置に載せられていることを確認するための識別信号が赤外線で送信され、炊飯部１からの正規の応答信号が受信される。  誘導加熱調理部２の制御部２３では、炊飯部１からの赤外線信号の受信に従って、誘導加熱コイル２４又は送電コイル５０への通電開始、通電量、通電停止等の各種制御を実行する。
【００４８】  ところで、従来の炊飯器１００では、誘導加熱コイル２４によって効率良く内釜１３を誘導加熱できるように、誘導加熱コイル２４と内釜１３との直線距離は小さい方が良い。このため、内釜１３の底面が炊飯部１の底面を構成している容器１７に近接又は密着している。
【００４９】  このため、分離した炊飯部１を御櫃として食卓に運びテーブル等に載置させた場合、誘導加熱調理部２によって加熱された炊飯部１の底面によってテーブルの上面が加熱される。つまり、炊飯部１の底に一部分が露出する容器１７自体の温度が高いため、容器１７側からの熱によって変形しやすいテーブルクロス等のシートが、テーブルの上面に敷いてあった場合には、該シートが炊飯部１によって加熱されて変形等する虞がある。またテーブル自体の変形も危惧される。
【００５０】  実施の形態１の炊飯器１００の炊飯部１には、底面から誘導加熱調理部２に向かって突き出す底面壁１０Ｐが、底面の外縁部に沿って設けられている。底面壁１０Ｐには、底面壁１０Ｐによって囲まれた内部と外部とを連通させる壁面開口部３０が形成されている。壁面開口部３０が形成されることにより、炊飯器１００は、誘導加熱調理部２から分離させた炊飯部１を御櫃として食卓に運びテーブル等に載置させた場合であっても、加熱された炊飯部１の底面の熱を、壁面開口部３０を通じて外部へ逃がすことができる。したがって、実施の形態１の炊飯器１００では、テーブル等の上面が過度に加熱される事態を防止できる。
【００５１】  また、実施の形態１の炊飯器１００は、壁面開口部３０が下枠１０Ｂを切り欠いて形成された切り欠き孔であり、誘導加熱調理部２の壁面開口部３０と対向する位置に、壁面開口部３０に嵌まる突起部６が設けられている。よって、炊飯器１００は、誘導加熱調理部２の上面に炊飯部１を載せて加熱調理する際に、突起部６で壁面開口部３０を塞ぐことができるので、誘導加熱調理部２によって加熱された熱が外部へ漏れることなく、加熱調理効果を高めることができる。
【００５２】  また、実施の形態１の炊飯器１００の誘導加熱調理部２には、炊飯部１を加熱調理する上面の外周縁に沿って下方に窪んだ段差部２１が形成されている。突起部６は、段差部２１において、先端部が誘導加熱調理部２の上面よりも下方となるように設けられている。よって、炊飯器１００は、炊飯部１を分離して誘導加熱調理部２をＩＨ調理器として単独で使用する場合であって、調理容器を上面に載せる際に、突起部６の存在が邪魔にならず、様々な大きさの調理容器を使用することができるから、使い勝手に優れている。
【００５３】  一方、図７で説明した実施の形態１の変形例では、突起部６は、段差部２１において、先端部が誘導加熱調理部２の上面よりも上方となるように設けることもできる。この場合、炊飯器１００は、誘導加熱調理部２の上面に納まる小さい調理容器を使用すると、突起部７によって調理容器の移動範囲が制限されるので、調理中に調理容器が傾いたり、誘導加熱調理部２の上面から誤って落下したりするといった事態を防止できる。
【００５４】  また、実施の形態１の炊飯器１００の炊飯部１は、底面に形成された吸気孔４と、外側面に形成されて吸気孔４と連通する排気孔５と、を有している。実施の形態１の炊飯器１００では、吸気孔４と排気孔５とで空気の対流を形成することができるので、壁面開口部３０から流入した空気によって、加熱された炊飯部１の底面の熱を吸気孔４から排気孔５を通じて外部へ排出させることができる。したがって、実施の形態１の炊飯器１００では、テーブル等の上面が過度に加熱される事態をより効果的に防止できる。
【００５５】  （実施の形態１の総括）  実施の形態１に示した炊飯器１００は、以下の構成であった。すなわち、  被調理物を内部に収容する炊飯部１と、炊飯部１を上面に載せて加熱調理する誘導加熱調理部２と、を備え、  炊飯部１は、外殻を形成する上ケース１０Ｃと、上ケース１０Ｃの下端面に隣接して上ケース１０Ｃの下方に設けた、耐熱性材料で形成された環状の下枠１０Ｂ、とを備え、  下枠１０Ｂには、炊飯部１の底面を構成する下枠１０Ｂの下面から、誘導加熱調理部２に向かって突き出す底面壁１０Ｐが、下枠１０Ｂの下面（炊飯部１の底面）の外縁部に沿って設けられているものである。
【００５６】  実施の形態１の炊飯器１００によれば、炊飯部１の下枠１０Ｂによって炊飯部１の底面の熱が、炊飯部１を載置したテーブル等の上面を過度に加熱することを防止できる。
【００５７】  実施の形態２．  実施の形態２の炊飯器１００は、図８〜１０に示している。図８は、実施の形態２に係る炊飯器１００の誘導加熱調理部２の平面図である。図９は、図８のＸ１−Ｘ１線で見た場合の縦断面図である。図９では、炊飯部１は下端部だけを示している。図１０は、図８のＹ１−Ｙ１線で見た場合の縦断面図である。なお、実施の形態１と重複するものについては説明を省略する場合がある。また、実施の形態１と同じ部分又は相当する部分には同じ符号を付している。
【００５８】  実施の形態２に係る炊飯器１００は、炊飯部１を載せる誘導加熱調理部２の機械的強度を増強し、炊飯部１を安定的に載置できるように工夫したものである。
【００５９】  次に誘導加熱調理部２の内部構造の平面的な配置につき説明する。  図８に示すように、誘導加熱調理部２の左右中心線上に、中心部が位置するように平面形状が円形の誘導加熱コイル２４が配置されている。
【００６０】  冷却ファン６０は、誘導加熱調理部２の中心点から見て、前方寄りで少し右方向の位置にある。冷却ファン６０は、真下の位置に吸気口７７（図９参照）を配置し、吸気口７７から冷たい空気を吸い込んで、第１の送風路ＳＨ１の内部へ冷却風として供給する。なお、吸気口７７は、細長いスリット状の孔を並べた形態又は小径の孔を多数並べて構成している。
【００６１】  上蓋２Ｂと下ケース２Ｃのようなプラスチック部品は、一般的に射出成形機を使用して製造される。ペレットと呼ばれる粒状のプラスチック材料を少しでも少なくして射出成形すれば、完成した上蓋２Ｂと下ケース２Ｃの重量が軽くなり、またコスト的にも安くできる。しかし、材料を少なくするとその分、薄肉になり、強度的に弱くなる。
【００６２】  そこで、実施の形態１では、下ケース２Ｃから一体に形成されて上方向に突出する支柱７４を、全部で４個所に分散して配置している。荷重を受ける上下方向に向けて支柱７４を形成することで補強効果が期待できる。
【００６３】  支柱７４Ａ及び支柱７４Ｂは、第２の入力操作部２２に近い位置にある、炊飯器１００の前方の支柱７４である。支柱７４Ｃ及び支柱７４Ｄは、誘導加熱コイル２４の右側と左側方向に、数ｃｍ程度離れて設置された、炊飯器１００の後方の支柱７４である。
【００６４】  支柱７４Ａ及び支柱７４Ｂは、横断面形状が真円である。支柱７４Ｃ及び支柱７４Ｄは、横断面形状が前後方向に長く、表面が滑らかな曲面で構成された長円形状とし、冷却ファン６０の冷却風の流れをできるだけ妨げないように構成される。
【００６５】  支柱７４Ａ及び支柱７４Ｂは、第２の入力操作部２２において、使用者がタッチ入力する場合に、上から指で表面板２２Ｐを押し下げる動作が頻繁に行われるから、その際の力を分散して受けるように配置している。つまり、第２の入力操作部２２の部分は、特に上からの荷重を受けることを考慮し、補強用として支柱７４Ａと支柱７４Ｂとを配置した。
【００６６】  誘導加熱コイル２４の右側と左側とに形成した支柱７４Ｃ及び支柱７４Ｄは、米と水を入れた内釜１３又は水と食材を入れた鍋等の被加熱物が上蓋２Ｂの開口２Ｈの真上に置かれるので、その荷重を分散して受けるように設置している。
【００６７】  実施の形態２では、誘導加熱コイル２４の真上の位置に、炊飯部１の内釜１３等が載置される。このため、誘導加熱コイル２４の真上の位置にあるトッププレート２０が荷重を受けると、その真下にある上蓋２Ｂの開口２Ｈの口縁部が下方へ押し下げられる力が働く。
【００６８】  実施の形態２では、誘導加熱コイル２４の位置の右側と左側とに、それぞれ支柱７４Ｃ及び支柱７４Ｄを配置しているため、上蓋２Ｂの開口２Ｈの口縁部が支柱７４Ｃ、７４Ｄで下方から支持され、上蓋２Ｂの湾曲等が防止できる。
【００６９】  下ケース２Ｃの底面には、下ケース２Ｃの底面と一体に形成した仕切り壁６１が設けられている。仕切り壁６１は、前方円弧部６１Ｃと、右側部６１Ｒと、左側部６１Ｌとから構成されている。前方円弧部６１Ｃは、下ケース２Ｃの前方側にあって冷却ファン６０の前方側を横切っている。右側部６１Ｒは、前方円弧部６１Ｃの後方端面に連続して、下ケース２Ｃの後方に直線状に伸びている。左側部６１Ｌは、前方円弧部６１Ｃの後方端面に連続して、下ケース２Ｃの後方に直線状に伸びている。
【００７０】  図８に示しているように、実施の形態２では、赤外線信号送受信部６２は、赤外線発光素子６２Ｓ（赤外線信号送信部）と赤外線受光素子６２Ｒ（赤外線信号受信部）との２つから構成されている。赤外線発光素子６２Ｓ及び赤外線受光素子６２Ｒでの双方の信号は、１つの通信制御部６２Ｃで解析及び処理され、通信制御部６２Ｃは、その送受信データ解析結果を制御部２３に対し出力する。
【００７１】  図８において、送電コイル５０は外形形状が環状を呈している。  図８から明らかなように、第１の送風路ＳＨ１の中において、最も冷却ファン６０に近い位置にあるのは、赤外線信号送受信部６２である。
【００７２】  送電コイル５０は、第１の送風路ＳＨ１の中において誘導加熱コイル２４よりも冷却風の流れで上流側にあり、かつ誘導加熱コイル２４とは直線距離で１０ｃｍ程度離れている。  この位置関係のため、送電コイル５０は、誘導加熱コイル２４を冷却した後の温かい空気に触れることもなく、また誘導加熱コイル２４が発する交番磁界によって誘導加熱されることもない。
【００７３】  リードスイッチ１８は、磁力を受けて電気的接点を閉じる磁気形近接スイッチである。代表的な構成のリードスイッチ１８では、２枚のニッケル合金（磁性体）リードの一部をオーバーラップさせ、ガラス管に封入したものであり、オーバーラップ部分は金、銀等の接点処理が施されている。また、代表的な構成のリードスイッチ１８では、接点の活性化を防ぐためにガラス管内に不活性ガスが封入されている。なお、炊飯部１の底部には、リードスイッチ１８を閉じるように磁力を発する永久磁石１９（図示せず）が設置されている。
【００７４】  次に図９について説明する。  誘導加熱調理部２は、誘導加熱調理部２の内部空間に、冷却ファン６０と、誘導加熱コイル２４と、送電コイル５０と、仕切り壁６１と、制御部２３と、第２の入力操作部２２と、赤外線信号送受信部６２と、を備えている。誘導加熱コイル２４は、円盤状に形成されている。仕切り壁６１は、誘導加熱調理部２の内部空間に、第１の送風路ＳＨ１と第２の送風路ＳＨ２とを形成している。赤外線信号送受信部６２は、誘導加熱調理部２の赤外線通信部を構成している。
【００７５】  誘導加熱コイル２４は、耐熱性プラスチック等で形成されたコイルベースと呼ばれる支持枠６３の上に設置されている。支持枠６３は、通気性を増大させるため開口面積の大きな貫通孔６３Ａが多数形成されている。
【００７６】  誘導加熱調理部２は、誘導加熱調理部２の外殻を構成する有底の箱形形状の下ケース２Ｃと、下ケース２Ｃの上面全体を覆うような上蓋２Ｂによって外殻ケース２Ａが構成されている。
【００７７】  下ケース２Ｃと上蓋２Ｂは、プラスッチックの一体成形（射出成形方法）で形成されている。そのため、材料は熱可塑性のプラスチックである。なお、下ケース２Ｃと上蓋２Ｂは、平面視で見た場合、完全に重なり合うような形状である。言い換えると上下に投影した場合の投影面積は同じである。また、上蓋２Ｂは、下ケース２Ｃよりも高温環境で使用されるので、下ケース２Ｃよりも耐熱性の高い材料が選定されている。
【００７８】  また、下枠１０Ｂの平面寸法は、上蓋２Ｂの平面形状と近い寸法になるようになっている。このため、炊飯器１００全体の外観形状は、図１に示した実施の形態１と同様に、平面形状が正方形に近い箱形である。
【００７９】  下ケース２Ｃに対して上蓋２Ｂは、ネジ（図示せず）等の固定手段によって確実に固定されている。  トッププレート２０は、下枠１０Ｂの中央部に形成した正方形の大きな開口２Ｈを覆っており、耐熱性の高い結晶化ガラス、又はプラスチック材料、例えばＰＥＴ又はＰＰＳから形成されている。トッププレート２０の真上には、内釜１３の底部が接触又は近接するように配置されている。
【００８０】  トッププレート２０は、誘導加熱コイル２４の最大外径寸法よりも大きな直径を有している。
【００８１】  図９に示した水平線ＰＬ２は、誘導加熱調理部２の外観上で上蓋２Ｂと下ケース２Ｃとの境界が認識できるところを示している。水平線ＰＬ２は、誘導加熱調理部２の外殻を製造する際に、下ケース２Ｃと上蓋２Ｂが重ね合わされる水平位置である。以下、水平線ＰＬ２は、「第２の分離線」と呼ぶ。
【００８２】  支柱７４Ｂは、下ケース２Ｃの上面に一体に形成した４本の支柱７４の内の、前方の支柱７４である。  支柱７４Ａ及び支柱７４Ｂは、向かい合うように誘導加熱調理部２の第２入力操作手段の後方位置にそれぞれ形成してある。支柱７４Ｃ、７４Ｄは、下ケース２Ｃの中央部に誘導加熱コイル２４が設置されているので、誘導加熱コイル２４の左側及び右側の位置に配置している。
【００８３】  上蓋２Ｂの下面には、上蓋２Ｂの下面に２個所に一体に形成された凸部７３が設けられており、凸部７３は支柱７４Ａ及び支柱７４Ｂの真上に位置している。  誘導加熱調理部２の外殻ケース２Ａを製造する際に、下ケース２Ｃと上蓋２Ｂとを重ね合わせた場合、支柱７４Ａ及び凸部７３、並びに支柱７４Ｂ及び凸部７３は、接触又は微小間隙をおいて向かい合った状態になる。このため、上蓋２Ｂの上面に加わった荷重は、支柱７４Ａ及び支柱７４Ｂによって支えることが期待できる。
【００８４】  なお、支柱７４Ａ及び凸部７３、並びに支柱７４Ｂ及び凸部７３は、図に示すように直接接触する以外に、両者の間にクッション材等の介在物を挟んで間接的に接触させることでも良い。例えば、クッション材等が断熱性の高い材料であれば、上蓋２Ｂの凸部７３の側から支柱７４Ａ及び支柱７４Ｂの側への熱伝導も少なくなり、下ケース２Ｃの温度を低く抑えることが期待できる。なお、介在物は、固体に限らず、例えば、シリコンゴム製シール材のように、半分液体のように柔らかくなっている物でも良い。
【００８５】  仕切り壁６１は、下ケース２Ｃと上蓋２Ｂとで囲まれた空間の中を、図９で示しているように前後２つの空間に仕切るものである。
【００８６】  赤外線信号送受信部６２は、赤外線発光素子６２Ｓと、赤外線受光素子６２Ｒと、赤外線発光素子６２Ｓ及び赤外線受光素子６２Ｒを取り付けた支持基板６２Ｂと、通信制御部６２Ｃとを備えている。  支持基板６２Ｂは、仕切り壁６１の最上面に水平に固定されている。
【００８７】  誘導加熱調理部２の内部を冷却する冷却ファン６０は、下ケース２Ｃの前方側底壁面に形成した吸気口７７の真上に接近して配置されている。冷却ファン６０としては、例えば、軸流型の送風ファンが使用されている。
【００８８】  吸気口７７の真上には、ファンモータ６０Ｍが設置されており、ファンモータ６０Ｍにより冷却ファン６０が回転駆動される。ファンモータ６０Ｍは、吸気口７７の上方を跨ぐように下ケース２Ｃに一体成形された、縦断面形状が逆Ｕ字形状の支持脚を備えた円形のファンケース６０Ｃの上面に固定されている。ファンケース６０Ｃの支持脚は、１本又は２本であり、その周囲には通気性を阻害しないように大きな空間が確保されている。
【００８９】  加熱回路基板８０は、誘導加熱コイル２４に対して高周波電力を供給するインバーター回路を実装したものであり、半導体電力制御素子、及びスイッチング素子等の各種電気部品が実装されている。なお、各種電気部品の内、ＩＧＢＴ等の半導体電力制御素子は、その制御動作中に発生する熱を逃がすために、アルミニウム製の放熱フィン８１（又は「ヒートシンク」という）に装着されている。下ケース２Ｃの底面上には、加熱回路基板８０を支持する支持凸部１１４が設けられている。支持凸部１１４は、下ケース２Ｃの底面上に複数個一体成形により設けられている。
【００９０】  放熱フィン８１の真上には、電気絶縁性のシート８３（又は薄い板）が設けられている。シート８３は、放熱フィン８１の真上に水平に、誘導加熱コイル２４と加熱回路基板８０との間の絶縁性を高める目的で設けられている。電気絶縁性のシート８３（又は薄い板）は、例えばＰＰ又はＰＥＴなどのプラスチック材料から形成されている。図９に示すように、電気絶縁性のシート８３は、冷却ファン６０から供給される冷却風の流れを妨げないように、放熱フィン８１の真上に水平に設けられている。
【００９１】  図９において、太い実線の矢印は、冷却ファン６０から供給される冷却風の流れを示している。また太い破線の矢印は、冷却ファン６０に導入される吸気流を示している。
【００９２】  下ケース２Ｃの後部背面壁には、排気口１０８が形成されている。排気口１０８は、冷却ファン６０からの冷却風を排出するため、複数個並んで形成されている。
【００９３】  上蓋２Ｂの裏面（下面）には、温度センサー２５が設けられている。温度センサー２５は、上蓋２Ｂの裏面（下面）に接触してトッププレート２０の温度を計測する接触式温度センサーであり、サーミスタ式温度検知素子が使用されている。温度センサー２５の温度計測データは、温度検出回路１０４に信号線１０５で送信され、温度検出回路１０４で把握された温度の情報は、制御部２３に送信される。なお、サーミスタ（温度検知素子）は、図に示すように平面形状が中空環状である誘導加熱コイル２４の、その中心部（中空部）を貫通するように設置されている。一点鎖線ＣＬは、誘導加熱コイル２４の垂直中心線を示しており、温度センサー２５の垂直中心線とも一致している。
【００９４】  温度検出回路１０４は、温度センサー２５と信号線１０５で接続され、温度センサー２５が計測した温度データが入力される。
【００９５】  制御部２３及び温度検出回路１０４は、制御回路基板１０６の上に実装されている。下ケース２Ｃの底面上には、制御回路基板１０６を支持する支持凸部１１５が設けられている。支持凸部１１５は、複数個一体成形により設けられている。
【００９６】  仕切り壁６１の前方側空間には、タッチ式入力部となる第２の入力操作部２２のタッチ操作を検知する検知部２２Ｓ等の電気部品が収容されている。
【００９７】  赤外線信号送受信部６２からの赤外線信号を透過させるための専用の窓は、実施の形態２では設けていない。赤外線信号は、上蓋２Ｂの中央部に大きく形成した正方形の開口２Ｈを通過させる構成である。
【００９８】  赤外線発光素子６２Ｓ及び赤外線受光素子６２Ｒの真上の位置には、下枠１０Ｂに形成された第１の窓９０が設けられている。第１の窓９０は、赤外線透過させるプラスチック又はガラス材料で覆われている。
【００９９】  なお、炊飯部１に設けた赤外線信号送受信部４１には、図示していないが、赤外線発光素子４１Ａ、支持基板４１Ｂ、及び通信制御部４１Ｃが設けられている。
【０１００】  下ケース２Ｃの底面には、重量センサー９５が固定されている。図示していないが、太い支柱状の脚部９６の真上には、歪センサーが配置されている。脚部９６によって歪センサーを押す力、すなわち、炊飯器１００の重量に応じた歪センサーからの出力によって、重量が計測される。なお、歪センサーを用いた重量センサー９５は、既に古くから提案されており、詳しい説明は省略する。
【０１０１】  重量センサー９５の計測結果を示す重量計測信号は、制御部２３に入力され、制御部２３から赤外線信号送受信部６２によって、赤外線信号送受信部４１に送信される。
【０１０２】  赤外線信号送受信部４１で受信した重量計測信号は、炊飯部１の制御部４０に入力され、加熱プログラム（火力又は通電時間等）を決めるために利用される。なお、炊飯のための加熱プログラムは、制御部４０から赤外線信号送受信部４１で、誘導加熱調理部２に伝達され、制御部２３がその加熱プログラムに従って、誘導加熱コイル２４又は送電コイル５０の通電を制御する。
【０１０３】  重量センサー９５は、炊飯部１を誘導加熱調理部２の上に載置している状態で、内釜１３から取り出したご飯の重量も計測できる。言い換えると、食事の際にご飯をお椀等に取り出した場合（盛り付けた場合）、その取り出したご飯の重量を計測できる。
【０１０４】  このため、炊飯器１００から取り出したご飯の重量計測信号が、誘導加熱調理部２から、赤外線信号送受信部６２経由で炊飯部１に送信され、その送信データに基づいて炊飯部１の制御部４０によってご飯のカロリーを計算できる。ここでいうカロリーとは、炊飯された後のご飯の重量によって定まるエネルギー量のことである。
【０１０５】  カロリー計算は、制御部２３で行わせても良いが、誘導加熱調理部２の第２の表示部２８は、炊飯部１を載置している場合、炊飯部１によって上方が覆われており、使用者には見えない。したがって、カロリー算出結果を示すデータは、赤外線信号送受信部６２を経由して炊飯部１に送信する必要がある。但し、誘導加熱調理部２は、炊飯部１を載置している場合でも、誘導加熱調理部２の側において、カロリー計算結果を表示できるように構成しても良い。例えば、誘導加熱調理部２の第２の表示部２８の位置を変更してカロリー計算結果を表示できるようにしてもよい。また、誘導加熱調理部２において、炊飯部１を載置した場合でも外部に露出する位置、例えば誘導加熱調理部２の前面又は側面に第３の表示部（カロリー表示部）を設けるようにしてもよい。
【０１０６】  なお、炊飯部１の制御部４０は、受電コイル５１によって得た電力によって運転される。また、第１の表示部４２も、受電コイル５１によって得た電力が供給される給電部２９によって表示動作を行う。これは実施の形態１で説明した構成と同じである。
【０１０７】  給電部２９に対して受電コイル５１から電力が供給されるが、電力が供給されるのは、誘導加熱調理部２の送電コイル５０が制御部２３によって送電指令を受けている期間中だけである。炊飯部１が載置されて炊飯動作が行われている期間中は、当然ながら送電コイル５０は制御部２３によって送電指令を受け、受電コイル５１に対して非接触で給電する。
【０１０８】  このように給電部２９があるため、炊飯器１００から取り出したご飯のカロリー表示は、誘導加熱調理部２から炊飯部１を分離させた場合も可能である。  つまり、実施の形態２では、制御部４０は給電部２９からの電力で運転されるから、炊飯部１が単体で、別の場所に移動させられても、その移動前に計算されたカロリーデータは、誘導加熱調理部２からその計算の都度、即時に制御部２３側に送信される。したがって、実施の形態２の炊飯器１００では、炊飯部１を分離させた後においても、第１の表示部４２によって、移動前に計算されたカロリーデータを表示することができる。なお、カロリー計算結果は、制御部２３に付属している半導体記憶素子等の記憶手段によって時系列に記憶され、誘導加熱調理部２に炊飯部１を戻した後でもその炊飯部１に保存されている。
【０１０９】  次に図１０について説明する。  図１０は、炊飯部１と誘導加熱調理部２が重なった状態の左側部分の要部を示す縦断面図である。  図１０において、リードスイッチ１８は、専用の回路基板又は取付板１８Ａの上に固定されている。取付板１８Ａは、仕切り壁６１（前方円弧部６１Ｃ）の上面に固定されている。リードスイッチ１８は、上蓋２Ｂの内側の最上部に配置されている。
【０１１０】  仕切り壁６１の左側面と下ケース２Ｃとの間には、数ｍｍ〜２０ｍｍ程度の幅Ｗ２の空隙Ｇ１が確保されている。
【０１１１】  さらに、冷却ファン６０からの冷却風ＣＦ（図１０参照）が通過する仕切り壁６１の右側の上部に、リードスイッチ１８が設置されているので、リードスイッチ１８の周辺の雰囲気の温度も低く保たれる。  また、永久磁石１９も、内釜１３の高熱を受けにくい位置に配置されているので、これらにより、永久磁石１９の接近をリードスイッチ１８が感知する動作を確実に行わせることができる。なお、炊飯部１を誘導加熱調理部２の真上に置いた場合に限り、永久磁石１９がリードスイッチ１８をＯＮにする。
【０１１２】  このような条件で、リードスイッチ１８が閉じた場合（ＯＮ動作した場合）、ＯＮ動作を制御部２３が感知する。すると制御部２３は、炊飯部１が正規位置へ載置されていると判定し、炊飯部１における炊飯動作の入力を許可する。つまり、リードスイッチ１８がＯＮとならない限り、炊飯部１の第１の入力操作部１５の入力は無効にされ、制御部４０の炊飯動作は開始できない。
【０１１３】  永久磁石１９は、炊飯部１を誘導加熱調理部２の上に載置した場合、リードスイッチ１８の真上になる位置に配置される。下枠１０Ｂの上面には、固定板３１が設けられている。固定板３１は、永久磁石１９を下枠１０Ｂの上面に固定する。固定板３１は、鉄又はアルミニウムと比較して熱伝導性の低い材料、例えば耐熱性ゴムから形成されている。
【０１１４】  永久磁石１９は、有底円筒状の内釜１３の周囲を、間隔を保って囲む熱遮蔽用の遮蔽板９３から距離Ｗ１だけ離して設置される。これにより、永久磁石１９が長期間の使用で繰り返し加熱されて劣化しないようにしている。  遮蔽板９３は、実施の形態１で示した容器１７の底面を除去したものと同じである。言い換えると、遮蔽板９３と容器１７とは、永久磁石１９に対して内釜１３の熱を伝えにくくする役目においては、同じであり、遮蔽板９３に代えて容器１７を設けても良い。
【０１１５】  以上の構成であるから、炊飯部１を載置して炊飯動作を開始すると、冷却ファン６０の運転により、吸気口７７から、図９の太い破線の矢印で示すように外部の空気が吸引される。
【０１１６】  誘導加熱調理部２に導入された吸気流は、その大半が誘導加熱コイル２４側へ供給される。  図９で、太い実線の矢印で示しているように、冷却風の一部は誘導加熱コイル２４の下方を通過し、また冷却風の一部は加熱回路基板８０の放熱フィン８１の間を通過し、更に冷却風の加熱回路基板８０の真下の空隙を通過する。そして、冷却風は、下ケース２Ｃの後部に設けた排気口１０８から外部へ放出される。
【０１１７】  以上の説明から明らかなように、図８〜図１０に示した実施の形態２の炊飯器１００は、以下の構成である。すなわち、  トッププレート２０と、トッププレート２０の下方に配置された誘導加熱コイル２４と、誘導加熱コイル２４の加熱条件を入力する第２の入力操作部２２とを備えた箱型形状の誘導加熱調理部２と、  誘導加熱コイル２４によって加熱される内釜１３と、炊飯条件を入力する第１の入力操作部１５とを備えた炊飯部１と、を備え、  炊飯部１は、誘導加熱調理部２のトッププレート２０の上に置かれた状態において、誘導加熱コイル２４の駆動によって加熱されるものであり、  誘導加熱調理部２の内部には、誘導加熱コイル２４を冷却するための冷却風を供給する冷却ファン６０と、誘導加熱調理部２と炊飯部１との間で、炊飯のための制御情報を含んだ赤外線信号を伝達するための赤外線信号送受信部６２と、をそれぞれ設け、  誘導加熱調理部２は、プラスチック製の上蓋２Ｂと、上蓋２Ｂと重なり合う大きさを有したプラスチック製の下ケース２Ｃとを上下に重ねて外殻が形成され、  上蓋２Ｂの上にトッププレート２０が重ね合わせて固定され、  下ケース２Ｃの底部上面には、仕切り壁６１を一体に形成し、仕切り壁６１によって誘導加熱調理部２の内部に冷却ファン６０の送風路が区画され、  赤外線信号送受信部６２は、仕切り壁６１によって支持されており、  さらに下ケース２Ｃと一体に上蓋２Ｂ側の荷重を受ける支柱７４を垂直に設けていることを特徴とする構成の炊飯器１００である。
【０１１８】  この構成により、実施の形態２に示した炊飯器１００では、仕切り壁６１によって赤外線信号送受信部６２が支持されるため、取付部品の点数を増やさずに赤外線信号送受信部６２を設置できる。  また、下ケース２Ｃと一体に上蓋２Ｂ側の荷重を受ける支柱７４を設けているため、誘導加熱調理部２の外殻ケース２Ａの機械的強度が向上し、炊飯部１を長期間に亘り安定的に支持でき、耐久性を向上させることが期待できる。
【０１１９】  さらに、冷却ファン６０からの冷却風ＣＦ（図１０参照）が通過する仕切り壁６１の右側の上部に、図１０で示したようにリードスイッチ１８が設置されているので、リードスイッチ１８の周辺の雰囲気の温度も低く保たれる。  また永久磁石１９も、内釜１３の高熱を受けにくい位置に配置されているので、磁石の接近をリードスイッチ１８が感知する動作を確実に行わせることができる。なお、炊飯部１を誘導加熱調理部２の真上に置いた場合に限り、永久磁石１９がリードスイッチ１８をＯＮにし、リードスイッチ１８のＯＮ動作を制御部２３が感知し、炊飯部１の正規位置への載置を検知し、炊飯部１における炊飯動作の入力を許可する。つまり、リードスイッチ１８がＯＮとならない限り、炊飯部１の第１の入力操作部１５の入力は無効にされ、制御部４０の炊飯動作は開始できない。
【０１２０】  実施の形態３．  実施の形態３の炊飯器１００は、図１１と図１２とに示している。図１１は、実施の形態３に係る炊飯器１００の縦断面図である。炊飯部１は下端部だけを示している。図１２は、図１１の炊飯器１００の左側部分の要部縦断面図である。実施の形態１及び実施の形態２と重複するものについては説明を省略する場合がある。また、実施の形態１及び実施の形態２と同じ部分又は相当する部分には同じ符号を付している。
【０１２１】  実施の形態３に係る炊飯器１００は、炊飯部１を載せる誘導加熱調理部２の機械的強度を増強し、炊飯部１を安定的に載置できるように工夫したものである。
【０１２２】  図１１について説明する。  誘導加熱調理部２は、誘導加熱調理部２の内部空間に、冷却ファン６０と、誘導加熱コイル２４と、送電コイル５０（図示せず）と、仕切り壁６１と、制御部２３（図示せず）と、第２の入力操作部２２（図示せず）と、赤外線信号送受信部６２と、を備えている。誘導加熱コイル２４は、円盤状に形成されている。仕切り壁６１は、誘導加熱調理部２の内部空間に、第１の送風路ＳＨ１と第２の送風路ＳＨ２とを形成している。赤外線信号送受信部６２は、赤外線通信部を構成している。
【０１２３】  誘導加熱コイル２４は、耐熱性プラスチック製の支持枠６３の上に設置されている。支持枠６３は、通気性を増大させるため開口面積の大きな貫通孔（図示せず）が多数形成されている。
【０１２４】  誘導加熱調理部２は、その外殻を構成する有底の箱形形状の下ケース２Ｃと、下ケース２Ｃの上面全体を覆うような上蓋２Ｂとによって外殻ケース２Ａが構成されている。下ケース２Ｃ及び上蓋２Ｂは、プラスッチックの一体成形で形成されている。そのため、材料は熱可塑性のプラスチックである。なお、下ケース２Ｃ及び上蓋２Ｂは、平面視で見た場合、完全に重なり合うような形状である。言い換えると上下に投影した場合の投影面積は同じである。また、上蓋２Ｂは、下ケース２Ｃよりも高温環境で使用されるので、下ケース２Ｃよりも耐熱性の高い材料が選定されている。
【０１２５】  下枠１０Ｂの平面寸法は、上蓋２Ｂの平面形状と近い寸法になるようになっている。このため、炊飯器１００全体の外観形状は、図１に示した実施の形態１と同様に、平面形状が正方形に近い箱形である。
【０１２６】  下ケース２Ｃの内側には、一定間隔で複数個一体に形成したネジ座となる凸部２Ｄが設けられている。図１１に示しているように、凸部２Ｄの厚さは、下ケース２Ｃの壁の厚さＴ１の数倍大きく構成されているため、上蓋２Ｂはネジ６４で凸部２Ｄに固定できる。  上蓋２Ｂの下面には、上蓋２Ｂの下面に接着等で固定した金属製の固定板６５が設けられている。ネジ６４は、固定板６５を貫通して凸部２Ｄまで捻じ込まれている。このようにして、下ケース２Ｃに上蓋２Ｂが確実に固定され、誘導加熱調理部２の外殻ケース２Ａが形成される。
【０１２７】  下枠１０Ｂの中央部に形成した円形の大きな穴１６の中には、底板６６が緊密に嵌め込まれている。底板６６は、耐熱性の高いプラスチック材料、例えばＰＥＴ又はＰＰＳから形成されている。底板６６の真上には、内釜１３の底部が接触又は近接するように配置されている。なお、「ＰＰＳ」とは、ポリフェニレンサルファイドのことを意味している。
【０１２８】  底板６６は、誘導加熱コイル２４の最大外径寸法よりも大きな直径を有しており、誘導加熱コイル２４の真上に位置する。
【０１２９】  平板状のトッププレート２０は、上蓋２Ｂの前方端部と後方端部を除いた大部分を覆うように、その上面に取り付けられており、耐熱性の高い結晶化ガラス又はプラスチック板で形成されている。そして誘導加熱調理部２の上に炊飯部１が載置された際には、トッププレート２０の上面と、底板６６が密着又は微小間隔を置いて対面する状態になる。
【０１３０】  図１１において、寸法Ｈ１は、誘導加熱調理部２の外観上で上蓋２Ｂと認識できる高さ（範囲）を示している。同様に、寸法Ｈ２は誘導加熱調理部２の外観上で下枠１０Ｂと認識できる高さ（範囲）を示している。寸法Ｈ３は、上ケース１０Ｃの範囲を示している。
【０１３１】  図１１に示した第２の分離線（水平線ＰＬ２）は、誘導加熱調理部２の外観上で上蓋２Ｂと下ケース２Ｃとの境界が認識できるところである。第２の分離線（水平線ＰＬ２）の位置で、誘導加熱調理部２の外殻を製造する際に、下ケース２Ｃ及び上蓋２Ｂが重ね合わされる。
【０１３２】  上蓋２Ｂの下面には、円筒形の取付座７０が設けられており、上蓋２Ｂの下面に一体に形成されている。取付座７０には、支持枠６３の少なくとも前後２個所が、ネジ７１によって固定されている。  支持枠６３の上には、防磁板７２が設けられている。防磁板７２は、誘導加熱コイル２４の周囲全体を覆うように支持枠６３の上に設置されている。
【０１３３】  上蓋２Ｂの下面には、上蓋２Ｂの下面に一体に形成された凸部７３が設けられている。下ケース２Ｃの上面には、下ケース２Ｃの上面に一体に形成された支柱７４が設けられている。  支柱７４及び凸部７３は、常に向かい合うように炊飯部１の中の複数個所に形成してある。但し、下ケース２Ｃの中央部に誘導加熱コイル２４が設置されているので、支柱７４は、誘導加熱コイル２４の位置を避けて、誘導加熱コイル２４の周囲に形成される。
【０１３４】  誘導加熱調理部２の外殻を製造する際に、下ケース２Ｃと上蓋２Ｂとを重ね合わせた場合、支柱７４及び凸部７３は接触又は微小間隙をおいて向かい合った状態になる。このため、上蓋２Ｂの上面に加わった荷重は、支柱７４によって支えることが期待できる。
【０１３５】  仕切り壁６１は、下ケース２Ｃ及び上蓋２Ｂで囲まれた空間の中を、図１１で示しているように前後に仕切るものである。  仕切り壁６１の上端部には、切欠き部６１Ａが形成されている。
【０１３６】  上蓋２Ｂの下面には、上蓋２Ｂの下面に一体に形成された突起部７５が設けられている。突起部７５と仕切り壁６１の最上面との間には、弾力性のあるゴム等のクッション材７６が介在している。
【０１３７】  赤外線信号送受信部６２は、赤外線通信用素子６２Ａ、支持基板６２Ｂ、及び通信制御部６２Ｃを備えている。  支持基板６２Ｂは、仕切り壁６１の前方側の側面に水平に支持されている。
【０１３８】  切欠き部６１Ａは、赤外線通信用素子６２Ａに向かい合った位置に形成されている。  軸流ファンから構成された冷却ファン６０は、下ケース２Ｃの前方側底壁面に形成した吸気口７７の真上に接近して配置されている。吸気口７７は、細いスリット状又は小径の多数の孔から構成されている。
【０１３９】  吸気口７７の真上には、ファンモータ６０Ｍが設置されており、ファンモータ６０Ｍにより冷却ファン６０が回転駆動される。ファンモータ６０Ｍは、吸気口７７の上方を跨ぐように下ケース２Ｃに一体成形された、縦断面形状が逆Ｕ字形状の支持脚７８の上面に固定されている。支持脚７８は、１本又は２本あり、支持脚７８の周囲には通気性を阻害しないように大きな空間が確保されている。
【０１４０】  吸気口７７に隣接した位置には、補助吸気口７９が形成されている。補助吸気口７９は、細いスリット状又は小径の多数の孔から構成されている。
【０１４１】  凹部１１６は、誘導加熱調理部２を単体で運搬する場合及び炊飯部１を載置したまま運搬する際に、使用者が両手の指先を挿入できるようにトンネル状空間を形成したものである。補助吸気口７９は、凹部１１６を形成する下ケース２Ｃの湾曲した壁面部に形成されている。これによって、冷却ファン６０に対する吸気路は２つのルートが確保されている。  すなわち、下ケース２Ｃの底面にある吸気口７７からの第１の吸気路と、吸気口７７と隣接し、傾斜面に形成された補助吸気口７９からの第２の吸気路とである。
【０１４２】  加熱回路基板８０は、誘導加熱コイル２４に対して高周波電力を供給するインバーター回路を実装するものであり、各種電気部品が実装されている。下ケース２Ｃの底面上には、加熱回路基板８０を支持する支持板８２が設けられている。支持板８２は、下ケース２Ｃの底面上に複数個設置されている。
【０１４３】  放熱フィン８１の真上には、電気絶縁性のシート８３（又は薄い板）が設けられている。電気絶縁性のシート８３は、放熱フィン８１の真上に水平に設置されている。電気絶縁性のシート８３（又は薄い板）は、例えばＰＰ又はＰＥＴなどの材料から形成されている。
【０１４４】  図１１において、太い実線の矢印は、冷却ファン６０から供給される冷却風ＣＦの流れを示している。また太い破線の矢印は、冷却ファン６０に導入される吸気流を示している。
【０１４５】  図１１で、矢印ＬＬは、使用者等の眼の位置ＹＥからの視線を示している。加熱回路基板８０及び支持板８２の前方側端部は、補助吸気口７９を通して直接目視できない。このため、単なる美観の面だけではなく、食事に使う箸又はその他の異物（金属棒）等が差し込まれても、補助吸気口７９で阻止され、仮にその先端が下ケース２Ｃの中に入っても、加熱回路基板８０まで到達せず、電気的な安全性が高い。なお、加熱回路基板８０の前方側端面の位置ＢＰを、補助吸気口７９から一定以上離すことによって、補助吸気口７９を通して加熱回路基板８０が直接目視できないようにしている。
【０１４６】  なお、下ケース２Ｃの後部背面壁には、図示していないが、冷却ファン６０からの冷却風を排出する排気口１０８（図示せず）が複数個並んで形成されている。
【０１４７】  仕切り壁６１は、図１１に示しているように、誘導加熱調理部２の内部空間を冷却ファン６０のある空間と赤外線信号送受信部６２のある空間とに仕切っている。つまり、仕切り壁６１を境にして、前方には第２の送風路ＳＨ２が形成され、後方には第１の送風路ＳＨ１が形成される。
【０１４８】  実施の形態２では、上蓋２Ｂの成形時に突起部７５を形成し、また下ケース２Ｃの成形時には仕切り壁６１を形成しているため、高さの大きな支柱又は壁を作るよりも簡単に製造でき、コスト的にも有利となる。なお、仕切り壁６１は、上蓋２Ｂの下面に至るまで伸びるように形成しても良い。
【０１４９】  温度センサー２５は、上蓋２Ｂの裏面（下面）に接触してトッププレート２０の温度を計測する接触式温度センサーであり、サーミスタ式温度検知素子が使用されている。温度センサー２５の温度計測データは、温度検出回路１０４（図示せず）に信号線１０５（図示せず）で送信され、温度検出回路１０４で把握された温度の情報は、制御部２３に送信される。なお、サーミスタ（温度検知素子）は、図に示すように平面形状が中空環状である誘導加熱コイル２４の、その中心部（中空部）を貫通するように設置されている。一点鎖線ＣＬは、誘導加熱コイル２４の垂直中心線を示しており、温度センサー２５の垂直中心線とも一致している。
【０１５０】  また仕切り壁６１によって、誘導加熱調理部２の内部空間は、第２の入力操作部２２の後方部分で前後に仕切られる。  そして、第２の入力操作部２２の入力ボタン２２Ａ及び入力ボタン２２Ａによって開閉されるスイッチ類等の電気部品は、第２の送風路ＳＨ２の中に存在した状態となる。  このため、第２の入力操作部２２の温度上昇が抑制される。
【０１５１】  切欠き部６１Ａを介して冷却ファン６０から供給される冷却空気量は、誘導加熱コイル２４側へ供給される冷却空気量に比較して、遥かに少ない量で良い。また、切欠き部６１Ａを設けず、第１の送風路ＳＨ１と連通しない空間にしても良い。つまり、必ずしも、第２の入力操作部２２の部分及び赤外線信号送受信部６２を強制的に空気で冷却しなくとも良い。
【０１５２】  第２の窓９１は、赤外線信号送受信部６２からの赤外線信号を透過させるための窓と、赤外線信号送受信部４１からの赤外線信号を透過させるための窓とを兼ねたものである。第２の窓９１は、誘導加熱調理部２と炊飯部１とが上下に重なりあって近接又は接触している上蓋２Ｂの前方端部に形成されている。第２の窓９１は、赤外線透過するガラス又はプラスチック板によって覆われている。
【０１５３】  第２の窓９１の真上の位置には、下枠１０Ｂに形成された第１の窓９０が設けられている。第１の窓９０も第２の窓９１と同等の機能と構造とを備えており、同じ材料で形成されている。  なお、赤外線通信用素子６２Ａは、１つではなく２つ以上設置し、少なくとも１つは赤外線信号送信用で、他の少なくとも１つは赤外線信号受信用である。その場合、接近状態で並べて設置すると後述する第２の窓９１を共用できて構造上有利である。
【０１５４】  また、炊飯部１にも赤外線発光素子４１Ａと、支持基板４１Ｂ及び通信制御部４１Ｃを備えている。
【０１５５】  有底円筒状の内釜１３の周囲には、有底円筒状の内釜１３の周囲を、間隔を保って囲む熱遮蔽用の遮蔽板９３が設けられている。遮蔽板９３は、上下が開口した円筒状になっており、下枠１０Ｂの上に載置されている。熱遮蔽用の遮蔽板９３により、赤外線信号送受信部４１の設置空間及び内釜１３の設置空間は、空気及び蒸気の流通しない２つの独立した空間となる。このため、赤外線信号送受信部４１が内釜１３の高熱の影響を受けて過剰に温度上昇し、寿命を縮めたり、性能劣化又は誤動作を起こしたりするという不具合を防止できる。
【０１５６】  重量センサー９５は、実施の形態２と同様な構成である。また、重量センサー９５の計測結果を示す重量計測信号は、制御部２３に入力され、制御部２３から赤外線信号送受信部６２によって、赤外線信号送受信部４１に送信される。このように、実施の形態２と同様に、赤外線信号送受信部４１で受信した重量計測信号は、炊飯部１の制御部４０に入力され、加熱プログラム（火力又は通電時間等）を決めるために利用される。
【０１５７】  次に図１２について説明する。  リードスイッチ１８は、磁力を受けて電気的接点を閉じる磁気形近接スイッチである。炊飯部１の底部には、永久磁石１９が設けられている。
【０１５８】  誘導加熱調理部２は、図１１で説明したように、冷却ファン６０と、誘導加熱コイル２４と、送電コイル５０（図示せず）と、仕切り壁６１と、制御部２３と、赤外線信号送受信部６２と、を内蔵している。誘導加熱コイル２４は、円盤状に形成されている。仕切り壁６１は、誘導加熱調理部２の内部空間に、第１の送風路ＳＨ１と第２の送風路ＳＨ２とを形成している。赤外線信号送受信部６２は、赤外線通信部を構成している。
【０１５９】  誘導加熱コイル２４は、耐熱性プラスチック等で形成されたコイルベースと呼ばれる支持枠６３の上に設置されている。支持枠６３は、通気性を増大させるため開口面積の大きな貫通孔６３Ａが多数形成されている。
【０１６０】  誘導加熱調理部２は、誘導加熱調理部２の外殻を構成する有底の箱形形状の下ケース２Ｃと、下ケース２Ｃの上面全体を覆うような上蓋２Ｂによって外殻ケース２Ａが構成されている。  前述したように、上蓋２Ｂの下面には、上蓋２Ｂの下面に一体に形成された突起部７５が設けられている。突起部７５と仕切り壁６１の最上面との間には、水平に伸びる取付板１８Ａが固定されている。言い換えると、取付板１８Ａは、突起部７５によって仕切り壁６１の上面に抑え付けられている。
【０１６１】  図１２において、仕切り壁６１の左側に横幅寸法Ｗ３で形成された空隙Ｇ２は、第１の送風路ＳＨ１とは隔絶されている。一方、第２の送風路ＳＨ２には連通しており、第２の入力操作部２２の下方に導入された冷却風の一部は空隙Ｇ２まで至る。つまり、このように仕切り壁６１をリードスイッチ１８の支持に兼用していることにより、部品点数を減らすことが可能となる。また、実施の形態２と同様に、永久磁石１９及びリードスイッチ１８の設置空間の雰囲気温度が高くならないので、長期間の使用によって永久磁石１９及びリードスイッチ１８が劣化せず、安全性を向上させることが期待できる。
【０１６２】  以上の構成であるから、炊飯部１を載置して炊飯動作を開始すると、冷却ファン６０の運転により、吸気口７７及び補助吸気口７９から、太い破線の矢印で示すように外部の空気が吸引される。
【０１６３】  誘導加熱調理部２に導入された吸気流は、その大半が誘導加熱コイル２４側へ供給される。  図１１で、太い実線の矢印の冷却風ＣＦで示しているように、冷却風の一部は誘導加熱コイル２４の下方を通過し、また冷却風の一部は加熱回路基板８０の放熱フィン８１の間を通過し、更に冷却風の加熱回路基板８０の真下の空隙を通過する。そして、冷却風は、下ケース２Ｃの後部に設けた排気口１０８（図示せず）から外部へ放出される。
【０１６４】  一方、切欠き部６１Ａから第２の送風路ＳＨ２に導入された冷却風は、第２の送風路ＳＨ２の内部にある各種電気部品、例えば、赤外線信号送受信部６２の赤外線通信用素子６２Ａを冷却し、排気口１０８（図示せず）とは違う排気口から放出される。あるいは、第１の送風路ＳＨ１に導入された冷却風によって誘引され、同じ排気口１０８から外部へ放出される。
【０１６５】  実施の形態３は、以上の説明から明らかなように、各種の特徴的な構成を備えているので、以下に述べるような効果も期待できる。
【０１６６】  （１）その１：  誘導加熱調理部２の内部には、誘導加熱コイル２４を冷却するための冷却風を供給する冷却ファン６０と、誘導加熱調理部２と炊飯部１との間で、炊飯のための制御情報を含んだ赤外線信号を伝達するための赤外線信号送受信部６２と、をそれぞれ設け、  誘導加熱調理部２は、プラスチック製の上蓋２Ｂと、上蓋２Ｂと重なり合う大きさを有したプラスチック製の下ケース２Ｃとによって箱形に構成された外殻ケースを備え、  上蓋２Ｂの上にトッププレート２０が重ね合わせて固定され、  上蓋２Ｂの下面には、誘導加熱コイル２４を保持するための第１の支持部（取付座７０）が一体に形成され、  下ケース２Ｃの底部上面には、冷却ファン６０の吸気口７７の横において上方へ伸びた仕切り壁６１を一体に形成し、仕切り壁６１の上端と上蓋２Ｂの下面との間には断熱性材料からなるクッション材７６が配置されており、  赤外線信号送受信部６２は、仕切り壁６１を挟んで冷却ファン６０と反対側に配置されていることを特徴とする構成の電気炊飯器である。
【０１６７】  この構成により、仕切り壁６１の上端と上蓋２Ｂの下面との間の気密性が向上し、仕切り壁６１を挟んで冷却ファン６０と反対側の空間へ、冷却ファン６０側からの不必要な風の流入が防止できる。  また、上蓋２Ｂの荷重をクッション材７６で受けることから、仕切り壁６１の上端部の衝撃を緩和でき、その破損を防止できる。
【０１６８】  （２）その２：  誘導加熱コイル２４の真下の位置に、インバーター回路等を含む加熱回路基板８０を配置し、誘導加熱コイル２４の側方から冷却ファン６０によって、誘導加熱コイル２４と加熱回路基板８０に対して、同時並行的に冷却風を供給する構成である。  このため、誘導加熱調理部２の内部に冷却ファン６０を上流とする冷却風路（第１の送風路ＳＨ１）が形成配置され、排気口１０８に向かう一直線状の流れを形成できる。  これにより、誘導加熱調理部２の内部空間の冷却性能を上げることが期待できる。
【０１６９】  （３）その３：  赤外線信号送受信部６２の、少なくとも赤外線通信用素子６２Ａは、仕切り壁６１に支持された支持基板６２Ｂの上に実装されている。  このため、仕切り壁６１を利用して赤外線通信用素子６２Ａを支持する構造であるため、構造の簡略化ができ、製造コスト上で有利になる。
【０１７０】  （４）その４：  誘導加熱調理部２の外殻ケース２Ａを構成する部材が、プラスチック製の上蓋２Ｂと、上蓋２Ｂと重なり合う大きさを有したプラスチック製の有底の箱型の下ケース２Ｃとによって構成される形態である。  このため、上蓋２Ｂと下ケース２Ｃとを、それぞれプラスチックの一体成形で形成し、上蓋２Ｂと下ケース２Ｃとを結合することで箱形の外殻ケース２Ａが容易に製造できる。
【０１７１】  （５）その５：  誘導加熱調理部２の外殻ケース２Ａを構成する部材が、プラスチック製の上蓋２Ｂと、上蓋２Ｂと重なり合う大きさを有したプラスチック製の有底の箱型の下ケース２Ｃとによって構成される形態である。上蓋２Ｂの下面には、誘導加熱コイル２４を支持する耐熱プラスチック製のコイルベース（支持枠６３）を支持する取付座７０を、一体成形によって形成したので、誘導加熱コイル２４を支持する構造部材の点数を減らすことができ、製造コスト上も有利になる。
【０１７２】  （６）その６：  赤外線信号送受信部６２のための赤外線信号を透過させるための第２の窓９１が、誘導加熱調理部２と炊飯部１とが重なりあって近接又は接触している上蓋２Ｂの一部分に形成されている。  しかも、第２の窓９１は、炊飯部１が使用される場合、炊飯部１によって上方から覆われるので、不要な光が外乱光として第２の窓９１に入射することがなく、炊飯部１と誘導加熱調理部２との間の赤外線通信を確実に行うことが期待できる。
【０１７３】  （７）その７：  誘導加熱コイル２４による加熱領域を避けて、誘導加熱コイル２４の周囲の少なくとも２カ所に、下ケース２Ｃ上面から一体に上方へ伸びた支柱７４を形成している。  支柱７４は、上蓋２Ｂ側からの荷重を受けるものである。言い換えると、炊飯部１が載置された際に、その重量を受けるトッププレート２０が下方に湾曲するようなことを防止できる。  このため、炊飯部１と誘導加熱調理部２との間の位置関係が長期に亘り安定するので、炊飯動作を安全に行うことができる。
【０１７４】  （８）その８：  図１２に示したように、仕切り壁６１の上に炊飯部１の永久磁石１９の存在を感知して動作するリードスイッチ１８を設置しているので、仕切り壁６１がリードスイッチ１８の支持に兼用され、部品点数を減らすことが可能となり、製造コストを安価にできる。  さらに、仕切り壁６１によって仕切られた空隙Ｇ２の中に、リードスイッチ１８を配置しているため、リードスイッチ１８の設置空間の雰囲気温度が高くならず、その長寿命化を図ることが期待できる
【０１７５】  （実施の形態３の総括）  実施の形態３に示した炊飯器１００は、以下の構成であった。すなわち、  被調理物を内部に収容する炊飯部１と、炊飯部１を上面に載せて加熱調理する誘導加熱調理部２と、を備え、  炊飯部１は、外殻を形成する上ケース１０Ｃと、上ケース１０Ｃの下端面の下方に設けた耐熱性材料で形成された環状の下枠１０Ｂとを備え、  誘導加熱調理部２は、炊飯部１を載せるトッププレート２０を備えた耐熱性材料からなる上蓋２Ｂと、上蓋２Ｂによって上面開口が閉鎖された底のある下ケース２Ｃと、を備え、  上蓋２Ｂと下ケース２Ｃとの間には、上蓋２Ｂ又は下ケース２Ｃの少なくとも何れか一方と一体に形成された支柱７４又は仕切り壁６１の、少なくとも何れか一方を有するものである。
【０１７６】  実施の形態３の炊飯器１００によれば、炊飯部１を載せる誘導加熱調理部２の機械的強度、すなわち、上下方向における荷重の耐力を増強し、炊飯部１を誘導加熱調理部２が安定的に支持したまま誘導加熱でき、安定した炊飯動作が期待できる。
【０１７７】  実施の形態４．  図１３は、実施の形態４に係る炊飯器１００の前方部を拡大して示す縦断面図である。実施の形態１〜３と重複するものについては説明を省略する場合がある。また、実施の形態１〜３と同じ部分又は相当する部分には、同じ符号を付している。
【０１７８】  実施の形態４に係る炊飯器１００は、赤外線信号送受信部６２の設置位置を変化させたものである。
【０１７９】  図１３について説明する。第２の窓９１は、上蓋２Ｂに形成されており、赤外線信号を透過させるために設けられている。  耐熱プラスチック製の下枠１０Ｂは、炊飯部１の底面を構成しており、赤外線信号を透過させるための第１の窓９０を形成している。
【０１８０】  支持基板６２Ｂは、赤外線信号送受信部６２の赤外線通信用素子６２Ａを支持するものである。支持基板６２Ｂは、仕切り壁６１に左端部が連結されて水平に支持されている。
【０１８１】  図１３において、第２の入力操作部２２の前後方向の範囲２２Ｗは、実線の矢印で示した通りである。これについてはあとで詳細に述べる。
【０１８２】  第２の入力操作部２２には、複数の押圧式の電子スイッチ９７の入力ボタン２２Ａが横一列に一定の間隔で配置されている。各電子スイッチ９７は、上部にある入力ボタン２２Ａが押されると、プラスチック製の押圧棒９７Ａが下方に移動することにより、電子スイッチ９７の内部接点が閉じて信号が発生する。
【０１８３】  回路基板９８は、各電子スイッチ９７を実装するものである。保護シート９９（又は保護板）は、薄く湾曲性のあるプラスチック材料で形成され、入力ボタン２２Ａの上を密封状態に覆っており、上方からの水の浸入を防止している。保護シート９９が使用者の指で押された場合、入力ボタン２２Ａは微小寸法下方に移動して電子スイッチ９７の内部接点が閉じる。
【０１８４】  プラスチック製の支持枠１０２には、透孔１０１が形成されている。透孔１０１は、入力ボタン２２Ａの上下動を許容するように、その入力ボタン２２Ａの外形寸法より大きな口径を有している。
【０１８５】  第２の入力操作部２２には、第２の入力操作部２２の操作入力結果を表示する第２の表示部２８（図示せず）が設けられている。第２の表示部２８は、液晶表示画面及び発光ダイオード素子（ＬＥＤ）等から構成されている。ＬＥＤは、第２の入力操作部２２の保護シート９９を下方から光で照らして、保護シート９９の特定部分を赤又は黄色に表示させ、使用者に対して各電子スイッチ９７の入力結果を表示する。  また、液晶表示画面は、保護シート９９の一部に開口（図示せず）を設け、開口を透明なシートで上から覆い、開口に液晶表示画面を臨ませるように設置している構成である。
【０１８６】  実施の形態４では、第２の入力操作部２２の入力機能を有効又は無効にする説明を行う。入力機能を無効にした場合には、第２の表示部２８も同時に表示機能は無効となり、画面表示は消される。逆に、第２の入力操作部２２の入力機能が有効になる場合（最初に起動されるとき、無効化が解除されるとき）には、第２の表示部２８の表示機能も同時に有効になり、表示動作が行われるようになる。炊飯部１が載置されたことが制御部２３によって検知されると、第２の入力操作部２２の入力機能は無効になる。なお、炊飯部１が載置されたことを検知する手段は、実施の形態２及び３で述べたリードスイッチ１８が１つの例である。
【０１８７】  図１３において、炊飯部１の下端部には、壁面開口部３０が形成されている。  突起部１０３（凸条）は、炊飯部１の底面を構成する下枠１０Ｂと、第２の入力操作部２２の上面との対向間隔Ｓを狭めるように構成されている。突起部１０３により、突起部１０３より後方にある誘導加熱コイル２４の真上の位置で発生する熱気が、突起部１０３を乗り越えて第２の入力操作部２２側に流れることが抑制される。このため、炊飯動作を行った際に、誘導加熱コイル２４によって炊飯部１の底面が高温になっても、第２の入力操作部２２の部分が過熱状態になることが抑制される。
【０１８８】  炊飯部１の使用が終わって、その炊飯部１を誘導加熱調理部２の上から取り除いた後、第２の入力操作部２２の部分が熱くて、直ぐに誘導加熱調理部２単体による別の加熱調理を開始できないという事態を招かない。
【０１８９】  図１３において、範囲２２Ｗは、第２の入力操作部２２の前後方向の幅を示しており、５０ｍｍ〜７０ｍｍ程度である。
【０１９０】  上蓋２Ｂは、全周囲の下端縁において内側が下方へ一定距離伸びて裾部２ＢＵが一体に形成されている。  裾部２ＢＵは、図１３に示すように下ケース２Ｃの上縁部に嵌り合う役目を果たす。このため、下ケース２Ｃと上蓋２Ｂとの重合状態では、上蓋２Ｂが下ケース２Ｃに緊密に嵌合し、不用意に前後又は左右方向に移動しない。したがって、結果的に誘導加熱調理部２の外殻ケース２Ａの強度を、簡単な構造によって向上させることができる。
【０１９１】  （実施の形態４の総括）  実施の形態４に示した炊飯器１００は、上蓋２Ｂの上面に突起部１０３（凸条）を設けて、炊飯部１の底面を構成する下枠１０Ｂと、第２の入力操作部２２の上面との対向間隔Ｓを狭めている。このため、突起部１０３より後方にある誘導加熱コイル２４の真上の位置で発生する熱気が、突起部１０３を乗り越えて第２の入力操作部２２側に流れることが抑制されるという効果がある。
【０１９２】  実施の形態５．  図１４は、実施の形態５に係る炊飯器１００の誘導加熱調理部２を示す平面図である。図１５は、図１４のＸ２−Ｘ２線における縦断面図である。図１５では、炊飯部１は下端部のみを示している。実施の形態１〜４と重複するものについては説明を省略する場合がある。また、実施の形態１〜４と同じ部分又は相当する部分には同じ符号を付している。
【０１９３】  実施の形態５に係る炊飯器１００は、赤外線信号送受信部６２の設置位置を変化させたものである。また、送電コイル５０の設置位置を、できるだけ冷却ファン６０の冷却風が流れる第１の送風路ＳＨ１の上流側に設定していることが特徴である。
【０１９４】  図１４及び図１５において、炊飯部１側の底部を形成する下枠１０Ｂには、全周囲の上端縁において内側が上方向へ一定距離だけ伸びて、段部１０ＢＴを一体に形成している。  段部１０ＢＴは、図１５に示すように上ケース１０Ｃの下端縁部に嵌り合う役目を果たす。このため、上ケース１０Ｃと下枠１０Ｂとの重合状態では、上ケース１０Ｃが下枠１０Ｂの外周縁部に緊密に嵌合し、不用意に前後又は左右方向に移動しない。したがって、結果的に炊飯部１の外殻ケース２Ａの強度を、簡単な構造によって向上させることができる。
【０１９５】  誘導加熱調理部２の前方側にある第２の入力操作部２２は、第２の入力操作部２２の表面全体がガラス板等の表面板２２Ｐで覆われている。  実施の形態５では、表面板２２Ｐを利用したタッチ式入力方式を採用しており、表面板２２Ｐの特定位置に使用者が指などを触れると、そのタッチ操作を感知して制御部２３への入力が行える。例えば、静電容量式のタッチ式スイッチが使用されている。検知部２２Ｓは、指などのタッチ操作を感知し、指が触れた位置に応じた信号を制御部２３に送信するように構成される。
【０１９６】  上蓋２Ｂの中央部には、大きな正方形の開口２Ｈが形成されている。開口２Ｈの上方を結晶化ガラス又は耐熱性プラスチック等で形成されたトッププレート２０で覆っている。  トッププレート２０の裏面（下面）には、トッププレート２０の裏面に接触して温度を計測する接触式の温度センサー２５が設けられている。温度センサー２５としては、例えばサーミスタが使用されている。
【０１９７】  温度検出回路１０４は、温度センサー２５が計測した温度データが入力されるように構成され、温度センサー２５と信号線１０５により接続されている。温度センサー２５は、図１５に示すように、中空環状の誘導加熱コイル２４の中心部（中空部）を貫通するように設置されている。
【０１９８】  温度検出回路１０４で検出された温度データは、マイクロコンピュータを中心に構成された制御部２３に送信される。制御回路基板１０６には、温度検出回路１０４と制御部２３とが実装されている。制御回路基板１０６は、下ケース２Ｃの底面から一体に突出成形した支持凸部１１５によって一定の位置に固定される。支持凸部１１４は、支持凸部１１５と同様に形成され、加熱回路基板８０を支持している。
【０１９９】  図１５では、放熱フィン８１の後ろ側近傍に温度検出回路１０４と制御部２３があるように見えるが、実際は放熱フィン８１の真後ろではなく、図１４に示しているように左方向に少し離れている。但し、第１の送風路ＳＨ１の中において後述する排気口１０８の直前までの位置に設けることが、冷却性の観点から望ましい。
【０２００】  下ケース２Ｃの後面（背面壁）には、排気口１０８が複数形成されている。排気口１０８は、下ケース２Ｃに異物が侵入しないように細いスリット状の孔又は多数の小径の孔で構成されている。
【０２０１】  軸流式ファン等の冷却ファン６０は、冷却ファン６０の回転軸が垂直になるように吸気口７７の近傍で、直ぐ上に設置されている。ファンケース６０Ｃの中央にある細長い支持部の上には、ファンモータ６０Ｍが固定されている。
【０２０２】  図１５に示しているように第２の分離線（水平線ＰＬ２）は、誘導加熱調理部２の外殻ケース２Ａを構成する下ケース２Ｃと上蓋２Ｂが重ね合わされる位置である。  支柱７４及び仕切り壁６１は、第２の分離線の高さ（位置）まで、下ケース２Ｃの底面から一体に形成されている。  このため、下ケース２Ｃを、熱可塑性材料（プラスッチック）で成形する際に、下ケース２Ｃの高さに合わせることが容易にできる。したがって、支柱７４及び仕切り壁６１の形成は製造工程で容易にできる。
【０２０３】  また、製造した下ケース２Ｃは、第２の分離線の高さに支柱７４及び仕切り壁６１が合せてあり、第２の分離線（水平線ＰＬ２）よりも上方へ突出する部分がない。したがって、製造現場での運搬又は保管等の際に、人又は機械が積み上げたり、移動させたりする動作が容易に行えるという利点もある。
【０２０４】  図１４におけるリードスイッチ１８は、磁力を受けて電気的接点を閉じる磁気形近接スイッチである。リードスイッチ１８は、仕切り壁６１の一部を構成する前方円弧部６１Ｃの右側面に支持されている。リードスイッチ１８が設置された空間は、冷却ファン６０の第１の送風路ＳＨ１の外側であり、積極的に冷却されない場所であるが、誘導加熱コイル２４及び炊飯部１の底板６６から遠い位置である。したがって、リードスイッチ１８が設置された空間は、誘導加熱コイル２４及び炊飯部１の底板６６で生じる熱によって加熱される懸念はない。
【０２０５】  実施の形態５では、実施の形態２のように、赤外線信号送受信部４１及び赤外線信号送受信部６２のための専用の第２の窓９１を設けず、赤外線透過材料で形成されたトッププレート２０を利用して、赤外線通信を行うようにしている。  したがって、第２の窓９１を設ける加工、及び第２の窓９１を覆う赤外線透過プレート等の部品も不要となり、製造コスト上も有利となる。
【０２０６】  なお、実施の形態５では、実施の形態２のように、赤外線信号送受信部６２が設置された空間に、冷却ファン６０からの冷却風が強制的に導入される構成としている。しかも、実施の形態５では、最も高温になる誘導加熱コイル２４、及び発熱する送電コイル５０等の周辺に流れる冷却風とは別の冷却風によって冷却される。したがって、赤外線信号送受信部６２が誘導加熱コイル２４及び送電コイル５０の熱を受けて、性能劣化等を起こすような温度まで加熱されることはない。  また、リードスイッチ１８は、仕切り壁６１を挟んで誘導加熱コイル２４と反対側の空間にある。このため、リードスイッチ１８は、誘導加熱コイル２４と離れた位置にあり、誘導加熱コイル２４によって加熱されることはない。
【０２０７】  実施の形態５においても、壁面開口部３０は、下枠１０Ｂの底面壁１０Ｐを切り欠いて形成されている形状であり、下枠１０Ｂの全周に沿って間隔をあけて複数個（図示例では１２個）形成されている。壁面開口部３０は、実施の形態１と同様に、加熱された炊飯部１の底面の熱を外部へ逃がす効果がある。
【０２０８】  （実施の形態５の総括）  実施の形態５に示した炊飯器１００は、  トッププレート２０と、トッププレート２０の下方に配置された誘導加熱コイル２４と、誘導加熱コイル２４の加熱条件を入力する第２の入力操作部２２と、を備えた誘導加熱調理部２と、  被炊飯物を収容し誘導加熱コイル２４によって加熱される内釜１３と、炊飯条件を入力する第１の入力操作部１５とを備えた炊飯部１と、を備え、  炊飯部１は、誘導加熱調理部２のトッププレート２０の上に置かれた状態において、誘導加熱コイル２４の駆動によって加熱されるものであり、  誘導加熱調理部２の内部には、誘導加熱コイル２４を冷却するための冷却風を供給する冷却ファン６０と、誘導加熱調理部２と炊飯部１との間で、炊飯のための制御情報を含んだ赤外線信号を伝達するための赤外線信号送受信部６２と、をそれぞれ設け、  誘導加熱調理部２は、プラスチック製の上蓋２Ｂと、上蓋２Ｂと重なり合う大きさを有したプラスチック製の下ケース２Ｃとによって箱形に構成された外殻ケース２Ａを備え、  上蓋２Ｂの上にトッププレート２０が重ね合わせて固定され、  下ケース２Ｃの底部上面には、その最上部が上蓋２Ｂ側に達するように垂直に立ち上がった支柱７４を形成している構成である。
【０２０９】  実施の形態５の炊飯器１００によれば、炊飯部１を載せる誘導加熱調理部２の機械的強度、すなわち、上下方向における荷重の耐力を増強し、炊飯部１を誘導加熱調理部２が安定的に支持したまま誘導加熱でき、安定した炊飯動作が期待できる。
【０２１０】  実施の形態６．  図１６は、実施の形態６に係る炊飯器１００において、誘導加熱調理部２の前半部分を示す縦断面図である。実施の形態１〜５と重複するものについては説明を省略する場合がある。また、実施の形態１〜５と同じ部分又は相当する部分には同じ符号を付している。
【０２１１】  実施の形態６に係る炊飯器１００は、冷却ファン６０の吸気経路を変更し、下ケース２Ｃの前面に設けた吸気口１７７から外部の空気を導入することが特徴である。  また、赤外線信号送受信部６２を、第１の送風路ＳＨ１に設けるのではなく、第１の吸気路ＫＵに設けていることも特徴である。
【０２１２】  下ケース２Ｃの前面には、吸気口１７７が形成されている。吸気口１７７は、実施の形態１〜５で示した吸気口７７と同様に、細いスリット状又は細かい貫通孔が複数隣接して形成されている。  トッププレート２０の前方端縁には、シリコンゴム等の耐熱性のあるシール材１１０が設けられている。シール材１１０は、トッププレート２０の前方端縁を上下から挟むような断面形状をしている。
【０２１３】  トッププレート２０は、シール材１１０を介して支柱７４によって下方から支持されている。すなわち、上蓋２Ｂの下面に一体に形成した凸部７３は、凸部７３の真下にある支柱７４の最上面に当たり、支柱７４によって下から支えられている形態である。このため、第２の入力操作部２２のタッチ式入力操作のために、表面板２２Ｐを使用者が頻繁に押しても、上蓋２Ｂは支柱７４で保持されているので、上蓋２Ｂが下方に湾曲する等の変形が発生せず、長期間に亘って安定した入力操作ができる。
【０２１４】  また、吸気口７７から冷却ファン６０に至るまで直線的に形成されている第１の吸気路ＫＵの中に、赤外線信号送受信部６２を設けているので、冷却ファン６０が誘導加熱コイル２４を冷却する前の冷たい空気で赤外線信号送受信部６２を冷却できる。
【０２１５】  タッチ式入力の検知部２２Ｓ等の電子回路及び第２の表示部２８を構成する液晶表示画面等の部分も冷却風によって冷却することができる。
【０２１６】  炊飯部１を加熱する場合には、誘導加熱コイル２４の冷却のために必ず冷却ファン６０は運転されるので、赤外線信号送受信部６２及び検知部２２Ｓ等は、炊飯動作の期間中、冷却風によって連続的に冷却される。
【０２１７】  下ケース２Ｃには、回路基板９８の支持板１１１が設けられている。支持板１１１は、下ケース２Ｃの底面から一体成形によって柱状に形成された支柱１１７によって、下ケース２Ｃの上方の規定位置に固定されている。  支持板１１１の上面には、支持脚１１２及び支持脚１１３が設けられている。支持脚１１２及び支持脚１１３は、電気絶縁材料から形成されている。
【０２１８】  （実施の形態６の総括）  実施の形態６に示した炊飯器１００は、  トッププレート２０と、トッププレート２０の下方に配置された誘導加熱コイル２４と、誘導加熱コイル２４の加熱条件を入力する第２の入力操作部２２と、を備えた誘導加熱調理部２と、  被炊飯物を収容し誘導加熱コイル２４によって加熱される内釜１３と、炊飯条件を入力する第１の入力操作部１５とを備えた炊飯部１と、を備え、  炊飯部１は、誘導加熱調理部２のトッププレート２０の上に置かれた状態において、誘導加熱コイル２４の駆動によって加熱されるものであり、  誘導加熱調理部２の内部には、誘導加熱コイル２４を冷却するための冷却風を供給する冷却ファン６０と、誘導加熱調理部２と炊飯部１との間で、炊飯のための制御情報を含んだ赤外線信号を伝達するための赤外線信号送受信部６２と、をそれぞれ設け、  誘導加熱調理部２は、プラスチック製の上蓋２Ｂと、上蓋２Ｂと重なり合う大きさを有したプラスチック製の下ケース２Ｃとによって箱形に構成された外殻ケース２Ａを備え、  上蓋２Ｂの上にトッププレート２０が重ね合わせて固定され、  下ケース２Ｃの底部上面には、その最上部が上蓋２Ｂ側に達するように垂直に立ち上がった支柱７４を形成している構成である。
【０２１９】  実施の形態６の炊飯器１００によれば、炊飯部１を載せる誘導加熱調理部２の機械的強度、すなわち、上下方向における荷重の耐力を増強する。したがって、炊飯部１を誘導加熱調理部２が安定的に支持したまま誘導加熱でき、安定した炊飯動作が期待できる。
【０２２０】  実施の形態７．  図１７は、実施の形態７に係る炊飯器１００において、炊飯部１の下部と誘導加熱調理部２とを示す縦断面図である。実施の形態１〜６と重複するものについては説明を省略する場合がある。また、実施の形態１〜６と同じ部分又は相当する部分には同じ符号を付している。
【０２２１】  実施の形態７に係る炊飯器１００は、誘導加熱調理部２の上蓋２Ｂと、下ケース２Ｃとを改良したものである。  図１７において、開口２Ｈの口縁部には、段部２Ｅが形成されている。段部２Ｅは、トッププレート２０を下方から支持するために、開口２Ｈの口縁部全周（前後及び左右）に亘って形成している。段部２Ｅは、機械的強度を増すために、上蓋２Ｂの他の部分よりも肉厚に形成されている。
【０２２２】  段部２Ｅは、上蓋２Ｂの射出成形時に同時に一体に形成され、第２の分離線（水平線ＰＬ２）の位置が下限となるように形成されている。  一方、仕切り壁６１は、図１７に示しているように段部２Ｅの下面に接触するような高さ寸法を有している。言い換えると、第２の分離線（水平線ＰＬ２）の位置が上限の位置である。
【０２２３】  シール材１１０は、トッププレート２０の周端面を衝撃から保護し、またトッププレート２０上面から、こぼれた水及び調理液等の浸入を阻止するために、シリコンゴム等の材料で形成されている。
【０２２４】  段部２Ｅは、シール材１１０を支持することで、間接的にトッププレート２０の周縁部を支持している。なお、段部２Ｅとシール材１１０との間は、更に強固な固定にするため、接着剤によって接着しても良い。
【０２２５】  仕切り壁６１には、図示していないが、冷却ファン６０が吸気口７７から吸引した外部の空気を通過させる貫通孔が複数個形成されている。破線で示した矢印は、その冷却ファン６０に吸引された空気の流れを示すものである。
【０２２６】  炊飯部１の制御部４０及び第１の表示部４２のための電力を供給する送電コイル５０は、仕切り壁６１よりも冷却ファン６０側に形成した支持脚１１９の上に固定されている。支持脚１１９は、下ケース２Ｃの射出成形時に下ケース２Ｃの底面（底面の壁部）から一体に形成したものである。
【０２２７】  仕切り壁６１の上面には、送電コイル５０を直接支持する取付板１２０が設けられている。取付板１２０は、電気絶縁性材料から形成されている。取付板１２０は、送電コイル５０を固定した後に、仕切り壁６１の上面に固定される。
【０２２８】  赤外線信号送受信部６２は、仕切り壁６１に後方端部が固定された支持基板６２Ｂの上に設置されている。支持基板６２Ｂは、支持脚１１８の上に固定されている。支持脚１１８は、下ケース２Ｃの射出成形時に下ケース２Ｃの底面から一体に形成したものである。赤外線信号送受信部６２は、冷却ファン６０から見ると、吸入する冷たい空気流の流れの上流側に位置している。
【０２２９】  第２の入力操作部２２の表面には、表面板１２２Ｐが設けられている。表面板１２２Ｐは、タッチ入力式の第２の入力操作部２２の表面を覆う左右方向に長い帯状に形成されている。表面板１２２Ｐは、耐熱性プラスチック材料から形成された薄い板状のものである。表面板１２２Ｐには、第２の窓９１に対応して形成された貫通孔１２３が設けられている。
【０２３０】  実施の形態７では、吸気口７７から冷却ファン６０に至る間に、第２の入力操作部２２及び赤外線信号送受信部６２が直線的に並んでいる。このため、炊飯部１を誘導加熱している場合も、誘導加熱調理部２を単体で運転して加熱調理をしている場合も、吸気口７７から冷却ファン６０に至る空気の通過により、第２の入力操作部２２及び赤外線信号送受信部６２は効率的に冷却される。また、吸気口７７から冷却ファン６０に至る空気の一部は、送電コイル５０の周囲を通過してから冷却ファン６０に至るので、送電コイル５０も同時に冷却される。
【０２３１】  実施の形態７の炊飯器１００でも、実施の形態１と同様に、炊飯部１は、外殻を形成する上ケース１０Ｃと、上ケース１０Ｃの下方に設けた耐熱性材料で形成された環状の下枠１０Ｂとを備える。下枠１０Ｂには、底面から誘導加熱調理部２に向かって突き出す底面壁１０Ｐが、底面の外縁部に沿って設けられている。
【０２３２】  さらに実施の形態７では、底面壁１０Ｐの最も下端面は、第２の分離線（水平線ＰＬ２）よりも更に下方まで垂直に伸びている。このため、その底面壁１０Ｐの下部は、上蓋２Ｂを超えて下ケース２Ｃの前面上端部に対面している。これにより、炊飯部１が後方に不用意に移動しようとしても、その底面壁１０Ｐの下部が下ケース２Ｃの前面に当り、移動が阻止される。
【０２３３】  下枠１０Ｂの後方と左右両側においても、同様に底面壁１０Ｐの最も下端面は、第２の分離線（水平線ＰＬ２）よりも更に下方まで垂直に伸びているため、結局、前後及び左右の４方向での不必要な移動が防止される。このため、実施の形態７の炊飯器１００では、炊飯部１を誘導加熱調理部２の上に載置した場合、実施の形態１と同様に、炊飯部１の載置位置が安定するという利点がある。
【０２３４】  炊飯部１の誘導加熱時には、トッププレート２０の上面と炊飯部１の下枠１０Ｂの下面とは接触又は微小間隙を有して接近する状態となる。また、誘導加熱調理部２の上から炊飯部１を離して、テーブル又は置き台等の上に置いた場合には、炊飯部１の下方と、テーブル又は置き台等との間に、空気層が確保される構造となっている。  なお、実施の形態７では、実施の形態１に比較して底面壁１０Ｐの垂直方向の高さを大きくできる。したがって、テーブル等の家具等の上面に炊飯部１を置いた場合、炊飯部１と家具等との間の対向間隔が大きくなり、空隙の容積が大きくなるため、熱が炊飯部１の下方空間に籠ることを更に低減できる。
【０２３５】  以上の説明から明らかなように、図１７に示した実施の形態７の炊飯器１００は、以下の構成である。すなわち、  トッププレート２０と、トッププレート２０の下方に配置された誘導加熱コイル２４と、誘導加熱コイル２４の加熱条件を入力する第２の入力操作部２２とを備えた箱型形状の誘導加熱調理部２と、  誘導加熱コイル２４によって加熱される内釜１３と、炊飯条件を入力する第１の入力操作部１５とを備えた炊飯部１と、を備え、  炊飯部１は、誘導加熱調理部のトッププレート２０の上に置かれた状態において、誘導加熱コイル２４の駆動によって加熱されるものであり、  誘導加熱調理部２の内部には、誘導加熱コイルを冷却するための冷却風を供給する冷却ファン６０と、誘導加熱調理部２と炊飯部１との間で、炊飯のための制御情報を含んだ赤外線信号を伝達するための赤外線信号送受信部６２と、炊飯部１の制御部２３のための電力を供給する送電コイル５０と、をそれぞれ設け、  誘導加熱調理部２は、プラスチック製の上蓋２Ｂと、上蓋２Ｂと重なり合う大きさを有したプラスチック製の下ケース２Ｃとを上下に重ねて外殻が形成され、  上蓋２Ｂの上にトッププレート２０が重ね合わせて固定され、  下ケース２Ｃの底部上面には、上蓋２Ｂ方向に伸びて上蓋２Ｂの荷重を受ける仕切り壁６１を一体に形成し、  送電コイル５０は、下ケース２Ｃの底部から上方に突設した支持脚１１９で支持されていることを特徴とする構成の炊飯器１００である。
【０２３６】  実施の形態７の構成によれば、仕切り壁６１が上蓋２Ｂ側からの荷重を受けるため、炊飯部１が載置された際に、炊飯部１の重量を受けるトッププレート２０が下方に湾曲することを防止できる。
【０２３７】  よって、炊飯部１と誘導加熱調理部２との間の位置関係が長期に亘り安定するので、炊飯動作を確実に制御することができる。  また、送電コイル５０の位置も、支持脚１１９によって下方から支持され、安定する。したがって、長期間の使用によっても送電コイル５０の位置と炊飯部１側の受電コイル５１との相対間隔が変化しないため、安定した給電動作が期待できる。
【０２３８】  さらに、図１７に示した実施の形態７の炊飯器１００は、  トッププレート２０と、トッププレート２０の下方に配置された誘導加熱コイル２４と、誘導加熱コイル２４の加熱条件を入力する第２の入力操作部２２とを備えた箱型形状の誘導加熱調理部２と、  誘導加熱コイル２４によって加熱される内釜１３と、炊飯条件を入力する第１の入力操作部１５とを備えた炊飯部１と、を備え、  炊飯部１は、誘導加熱調理部２のトッププレート２０の上に置かれた状態において、誘導加熱コイル２４の駆動によって加熱されるものであり、  誘導加熱調理部２の内部には、誘導加熱コイルを冷却するための冷却風を供給する冷却ファン６０と、誘導加熱調理部２と炊飯部１との間で、炊飯のための制御情報を含んだ赤外線信号を伝達するための赤外線信号送受信部６２と、をそれぞれ設け、  誘導加熱調理部２は、プラスチック製の上蓋２Ｂと、上蓋２Ｂと重なり合う大きさを有したプラスチック製の下ケース２Ｃとを上下に重ねて外殻が形成され、  上蓋２Ｂの上にトッププレート２０が重ね合わせて固定され、  下ケース２Ｃの底部上面には、上蓋２Ｂ方向に伸びて上蓋２Ｂの荷重を受ける仕切り壁６１を一体に形成し、仕切り壁６１によって誘導加熱調理部２の内部に冷却ファンの送風路が区画され、  炊飯部１は、外殻を形成する上ケース１０Ｃと、上ケース１０Ｃの下方に設けた耐熱性材料で形成された環状の下枠１０Ｂとを備え、  下枠１０Ｂには、底面から誘導加熱調理部２に向かって突き出す底面壁１０Ｐが、下ケース２Ｃの表面と近接して対面する位置まで下方に伸び、底面壁１０Ｐが、一種の移動防止手段（ストッパー）として機能する構造である。
【０２３９】  実施の形態７によれば、炊飯部１を載置したテーブル等の家具等の上面を過度に加熱することを防止できるため、使い勝手が向上するとともに、誘導加熱調理部２の上から過度に水平方向に移動することが防止できる。
【０２４０】  なお、実施の形態７では、底面壁１０Ｐに切り欠き等の壁面開口部３０を設けていたが、壁面開口部３０は必ずしも必要ない。
【０２４１】  実施の形態８．  実施の形態８の炊飯器１００は、図１８に要部を示している。図１８は、実施の形態８に係る炊飯器１００において、誘導加熱調理部２の前方部と炊飯部１の前方下部とを拡大して示した縦断面図である。  実施の形態１〜７と重複するものについては説明を省略する場合がある。また、実施の形態１〜７と同じ部分又は相当する部分には、同じ符号を付している。
【０２４２】  実施の形態８に係る炊飯器１００は、炊飯部１の上ケース１０Ｃを改良したものである。  下枠１０Ｂは、プラスチック材料で環状に形成されている。下枠１０Ｂの内側口径は、誘導加熱調理部２の外殻ケース２Ａの外径よりも大きく形成され、外殻ケース２Ａと下枠１０Ｂとの間に数ｍｍ以上の隙間ＧＸ（空隙）が確保されている。  下枠１０Ｂの底面壁１０Ｐの内側には、縦方向に長く、かつ突状（山形）のガイド凸部１０Ｌが設けられている。ガイド凸部１０Ｌは、下枠１０Ｂの内側全周に亘り、一定間隔（例えば数ｃｍ置き）で多数形成されている。
【０２４３】  ガイド凸部１０Ｌは、下端面が円弧面を呈している。ガイド凸部１０Ｌの円弧面は、炊飯部１を誘導加熱調理部２の上に載置する際に、外殻ケース２Ａを構成する上蓋２Ｂの外周端部に炊飯部１を円滑に案内し、外殻ケース２Ａを上方から包み込むように下枠１０Ｂを嵌合させる目的で形成している。
【０２４４】  仕切り壁６１は、プラスチック材料から形成された下ケース２Ｃの底部から垂直に形成されている。仕切り壁６１の右側には、符号ＣＦで示すように冷却ファン６０からの冷却風が流れる（図１８の紙面に対して垂直方向に流れる）。
【０２４５】  リードスイッチ１８は、実施の形態２で説明したように、代表的には、２枚のニッケル合金（磁性体）リードの一部をオーバーラップさせ、細長い円筒状のガラス管に封入し構成される。したがって、リードスイッチ１８の外観形状は細長い円筒状となる。
【０２４６】  実施の形態８では、実施の形態２と異なり、リードスイッチ１８は、冷却風の流れＣＦに沿うように、左右方向に長くなるように設置方向を変更している。  仕切り壁６１は、誘導加熱調理部２において左右方向に長く設置されている部分（前方円弧部６１Ｃ）があるため、リードスイッチ１８は、その前方円弧部６１Ｃの真上に載せて固定できる。  前方円弧部６１Ｃの利用により、リードスイッチ１８のための専用の支持構造が簡略化できる。
【０２４７】  なお、図１８において、固定板３１は、永久磁石１９を下枠１０Ｂの上面に固定する固定枠であり、実施の形態２の固定板３１に相当する部材である。  寸法Ｗ４は内釜１３の外周面から固定板３１までの最短距離を示している。実施の形態８では、寸法Ｗ４を長く確保するため、リードスイッチ１８を左右方向に長くしている。これにより、永久磁石１９が内釜１３の外周面からの熱（伝導熱、放射熱）を受ける度合を殆ど無くすことができ、永久磁石１９の熱による劣化等の不具合も起こらない。
【０２４８】  この構成であるから、炊飯動作中に炊飯部１の底部が誘導加熱コイル２４によって加熱される内釜１３の熱を受けて高温になっても、図１８に示すようにトッププレート２０の外周側では隙間ＧＸ（空隙）が確保される。また、隙間ＧＸ（空隙）は、切欠き又は透孔等の壁面開口部３０によって炊飯器１００の外部に連通した状態であるから、熱気を逃がす効果が期待できる。
【０２４９】  このため、実施の形態８の炊飯器１００では、下枠１０Ｂと誘導加熱調理部２の天面を構成するトッププレート２０との近接性、密着度に影響を与えず、炊飯部１の中心から離れた外周側での温度上昇を抑制できる。  これにより、外殻ケース２Ａの熱対策ができ、上蓋２Ｂの前方部に配置した第２の入力操作部２２及び第２の表示部２８等の過熱も防止できるという副次的効果も期待できる。
【０２５０】  実施の形態９．  実施の形態９の炊飯器１００は、図１９に要部を示している。図１９は、実施の形態９に係る炊飯器１００において、誘導加熱調理部２の左側方部と炊飯部１の左側方部を拡大して示した縦断面図である。  実施の形態１〜８と重複するものについては説明を省略する場合がある。また、実施の形態１〜８と同じ部分又は相当する部分には、同じ符号を付している。
【０２５１】  実施の形態９に係る炊飯器１００は、炊飯部１の上ケース１０Ｃを改良したものである。また、実施の形態２のように、リードスイッチ１８を誘導加熱調理部２の左側方部に配置している。具体的には、仕切り壁６１の長手方向と、リードスイッチ１８の長手方向を一致させており、かつ、仕切り壁６１の真上にリードスイッチ１８を設置している。
【０２５２】  下ケース２Ｃの底面には、下ケース２Ｃの底面と一体に形成した仕切り壁６１が設けられている。仕切り壁６１は、実施の形態２と同様に、前方円弧部６１Ｃと、右側部６１Ｒと、左側部６１Ｌと、から構成されている。前方円弧部６１Ｃは、下ケース２Ｃの前方側にあって冷却ファン６０の前方側を横切っている。右側部６１Ｒは、前方円弧部６１Ｃの後方端面に連続して、下ケース２Ｃの後方に直線状に伸びている。左側部６１Ｌは、前方円弧部６１Ｃの後方端面に連続して、下ケース２Ｃの後方に直線状に伸びている。
【０２５３】  仕切り壁６１の右側には、符号ＣＦで示すように冷却ファン６０からの冷却風が流れる（図１９の紙面に対して垂直方向に流れる）。
【０２５４】  リードスイッチ１８は、実施の形態２及び実施の形態８で説明したように、２枚のニッケル合金（磁性体）リードの一部をオーバーラップさせ、リードをガラス管に封入したものである。リードスイッチ１８の外観形状は細長い円筒状である。
【０２５５】  実施の形態９では、冷却風の流れＣＦに沿うように、リードスイッチ１８は、実施の形態２と同様に異なり、前後方向に長くなるように設置方向を変更している。
【０２５６】  仕切り壁６１は、誘導加熱調理部２において左右方向に長く設置されている部分（左側部６１Ｌ）があるため、リードスイッチ１８は、その左側部６１Ｌの真上に載せて固定されている。  このため、リードスイッチ１８のための専用の支持構造が、左側部６１Ｌの利用により簡略化できる。
【０２５７】  なお、図１９において、固定板３１は、永久磁石１９を下枠１０Ｂの上面に固定する固定枠であり、実施の形態２の固定板３１に相当する部材である。  寸法Ｗ４は内釜１３の外周面から固定板３１までの最短距離を示している。実施の形態９では、リードスイッチ１８を前後方向に長くしているため、寸法Ｗ４を長く確保できる。したがって、永久磁石１９が内釜１３の外周面からの熱（伝導熱、放射熱）を受ける度合を殆ど無くすことができるため、永久磁石１９の熱による劣化等の不具合も起こらないようにできる。
【０２５８】  実施の形態９では、リードスイッチ１８を仕切り壁６１の真上に配置していたが、リードスイッチ１８とともに赤外線信号送受信部６２を仕切り壁６１の真上に配置しても良い。左側部６１Ｌ又は右側部６１Ｒ等の仕切り壁６１の利用により、赤外線信号送受信部６２の専用の支持構造が簡略化できる。
【０２５９】  実施の形態２では、誘導加熱調理部２側に重量センサー９５を設けていたが、炊飯部１側に重量センサー９５を設けても良い。また、炊飯部１を誘導加熱調理部２の上に載置している状態、及び炊飯部１だけを別の場所に運搬して使用する状態の何れにおいても、内釜１３から取り出したご飯の重量を、何度も計測し、その都度カロリー計算するようにしても良い。なお、計算結果のカロリー値は、第１の表示部４２に表示するようにしても良い。
【０２６０】  なお、カロリーを表示させる場面は、内釜１３からご飯を盛り付けるため、蓋体１１を開放している期間中である。したがって、蓋体１１が垂直になる位置まで開放してしまうと、蓋体１１の上面に第１の表示部４２がある形態（図１参照）では、使用者がその第１の表示部４２の表示内容を視認しにくい。
【０２６１】  カロリーを表示させる場面で、カロリーの表示を視認しやすくするために、蓋体１１の前面にカロリー表示部を設けても良い。カロリー表示部は、例えば、７つのセグメントで数字又は文字を表示させる発光ダイオードの表示部としても良い。  また、カロリーを表示させる場面は、蓋体１１を開放している期間中であることが望ましい。したがって、蓋体１１が開放している期間中に入力機能が有効となる操作キー４４（図示せず）を設けて、カロリー値を計算するようにしても良い。例えば、操作キー４４の入力信号が制御部４０に入力された場合に、内釜１３の中から取り出された（炊飯された）ご飯の重量が計測され、ご飯の重量に応じたカロリー値が計算されるように構成しても良い。
【０２６２】  カロリー値は、ご飯の重量を計測する直前の重量と、ご飯を食器等に盛り付けて内釜１３のご飯の重量が減った段階の重量とを比較し、その重量の差に基づいて計算される。
【０２６３】  実施の形態２のように給電部２９がある場合には、炊飯器１００から取り出したご飯のカロリー表示は、誘導加熱調理部２から炊飯部１を分離させた場合でも、任意のタイミングで可能である。  つまり、炊飯部１単体で、別の場所に移動させても、その移動前に計算されたカロリーデータが表示できる。さらに、移動先においてご飯を更に取り出して食事した場合等では、炊飯部１単体でカロリー計算をし、計算結果をカロリー表示部において表示できる。
【０２６４】  なお、カロリー計算結果は、制御部２３に付属している半導体記憶素子等の記憶部によって時系列に記憶され、誘導加熱調理部２に炊飯部１を戻した後でも炊飯部１に保存できる。したがって、第１の入力操作部１５を操作して、１回の食事（１つのお椀等に盛り付けた場合、その１杯をいう）あたりのカロリー量を第１の表示部４２に表示させることができる。また、お椀で数杯ご飯を食べた場合、食事をした人別に、食べたご飯量を総合して算出したカロリー値を表示できる。つまり、ご飯を食べる人毎に、食事前に、お椀に盛り付けたご飯の量に応じたカロリー値を計算して報知できるとともに、数名の家族がご飯を食べる際に、家族全員の合計値を確認することも可能となる。
【０２６５】  １回の食事の判定は、例えば、誘導加熱調理部２の上から炊飯部１が分離された第１の時点から、再び炊飯部１が誘導加熱調理部２の上に載置された第２の時点までを、リードスイッチ１８を介して制御部２３又は制御部４０が検知して行う。
【０２６６】  例えば、制御部２３又は制御部４０は、リードスイッチ１８が１度ＯＮし、炊飯部１が載置されて炊飯動作された第１の時点を検知するように構成すれば良い。また、制御部２３又は制御部４０は、リードスイッチ１８が１度ＯＦＦされ、炊飯部１が分離され、再びリードスイッチ１８がＯＮした第２の時点を検知するよう構成すれば良い。また、制御部２３又は制御部４０は、第１の時点から第２の時点までを１回の食事と判定するように構成すれば良い。  具体的な例を示すと、制御部２３又は制御部４０は、リードスイッチ１８が１２時００分にＯＮし、炊飯部１が載置されて炊飯動作された時点（１２時０１分）を、第１の時点として検知するように構成できる。また、制御部２３又は制御部４０は、リードスイッチ１８が１３時０３分にＯＦＦされ、炊飯部１が分離されて食卓等の上まで運ばれ、再びリードスイッチ１８がＯＮした時点（１３時５５分）を、第２の時点として検知するように構成できる。また、制御部２３又は制御部４０は、１２時０１分から１３時５５分までを１回の食事と判定するように構成できる。
【０２６７】  カロリー計算結果を示すデータは、使用者が第１の入力操作部１５を操作して消去の入力を行わない限り、炊飯部１又は誘導加熱調理部２の、少なくとも何れか一方に記憶されるようにすれば良い。データの記憶期間は、一定の期間（例えば１週間）又は使用者が第１の入力操作部１５で設定した期間とすれば良い。なお、炊飯器１００において、ご飯の重量を計測し、カロリー計算してそれを表示することは、日本の特許文献（特開２００６−８１６４１号公報、特許第５６１１４５６号公報）で既に提案されている。
【０２６８】  以上の通り、本発明を実施の形態１〜９に基づいて説明したが、本発明は上述した各実施の形態の構成に限定されるものではない。例えば、図示した炊飯器１００の構成は、一例であって、上述した内容に限定されるものではなく、他の構成要素を含んだ炊飯器１００であっても同様に実施することができる。要するに、いわゆる当業者が必要に応じてなす種々なる変更、応用、及び利用の範囲をも本発明の要旨（技術的範囲）に含む。
【０２６９】  また、本発明に係る炊飯器１００は、一般住宅の台所だけではなく、公共施設又は店舗等の調理場でも広く利用することができる。
【符号の説明】
【０２７０】  Ｇ１  空隙、Ｇ２  空隙、ＧＸ  隙間、ＫＵ  第１の吸気路、ＳＨ１  第１の送風路、ＳＨ２  第２の送風路、１  炊飯部、２  誘導加熱調理部、２Ａ  外殻ケース、２Ｂ  上蓋、２ＢＵ  裾部、２Ｃ  下ケース、２Ｄ  凸部、２Ｅ  段部、２Ｈ  開口、４  吸気孔、５  排気孔、６  突起部、７  突起部、１０  本体部、１０ａ  蓋開閉ボタン、１０Ｂ  下枠、１０ＢＴ  段部、１０Ｃ  上ケース、１０Ｌ  ガイド凸部、１０Ｐ  底面壁、１１  蓋体、１１ａ  蒸気口、１２  ヒンジ機構部、１３  内釜、１４  ハンドル、１５  第１の入力操作部、１５Ａ  入力キー、１６  穴、１７  容器、１８  リードスイッチ、１８Ａ  取付板、１９  永久磁石、２０  トッププレート、２１  段差部、２２  第２の入力操作部、２２Ａ  入力ボタン、２２Ｐ  表面板、２２Ｓ  検知部、２３  制御部、２４  誘導加熱コイル、２５  温度センサー、２６  フェライト、２７  電源基板、２８  第２の表示部、２９  給電部、３０  壁面開口部、３１  固定板、４０  制御部、４１  赤外線信号送受信部、４１Ａ  赤外線発光素子、４１Ｂ  支持基板、４１Ｃ  通信制御部、４２  第１の表示部、４４  操作キー、５０  送電コイル、５１  受電コイル、６０  冷却ファン、６０Ｃ  ファンケース、６０Ｍ  ファンモータ、６１  仕切り壁、６１Ａ  切り欠き部、６１Ｃ  前方円弧部、６１Ｌ  左側部、６１Ｒ  右側部、６２  赤外線信号送受信部、６２Ａ  赤外線通信用素子、６２Ｂ  支持基板、６２Ｃ  通信制御部、６２Ｒ  赤外線受光素子、６２Ｓ  赤外線発光素子、６３  支持枠、６４  ネジ、６５  固定板、６６  底板、７０  取付座、７１  ネジ、７２  防磁板、７３  凸部、７４  支柱、７４Ａ  支柱、７４Ｂ  支柱、７４Ｃ  支柱、７４Ｄ  支柱、７５  突起部、７６  クッション材、７７  吸気口、７８  支持脚、７９  補助吸気口、８０  加熱回路基板、８１  放熱フィン、８２  支持板、９０  第１の窓、９１  第２の窓、９３  遮蔽板、９５  重量センサー、９６  脚部、９７  電子スイッチ、９７Ａ  押圧棒、９８  回路基板、９９  保護シート、１００  炊飯器、１０１  透孔、１０２  支持枠、１０３  突起部（凸条）、１０４  温度検出回路、１０５  信号線、１０６  制御回路基板、１０８  排気口、１１０  シール材、１１１  支持板、１１２  支持脚、１１３  支持脚、１１４  支持凸部、１１５  支持凸部、１１６  凹部、１１７  支柱、１１８  支持脚、１１９  支持脚、１２０  取付板、１２２Ｐ  表面板、１２３  貫通孔、１７７  吸気口。
【図１】
2019064648.tif 000003
【図２】
2019064648.tif 000004
【図３】
2019064648.tif 000005
【図４】
2019064648.tif 000006
【図５】
2019064648.tif 000007
【図６】
2019064648.tif 000008
【図７】
2019064648.tif 000009
【図８】
2019064648.tif 000010
【図９】
2019064648.tif 000011
【図１０】
2019064648.tif 000012
【図１１】
2019064648.tif 000013
【図１２】
2019064648.tif 000014
【図１３】
2019064648.tif 000015
【図１４】
2019064648.tif 000016
【図１５】
2019064648.tif 000017
【図１６】
2019064648.tif 000018
【図１７】
2019064648.tif 000019
【図１８】
2019064648.tif 000020
【図１９】
2019064648.tif 000021
【手続補正書】
【提出日】令和1年11月20日(2019.11.20)
【手続補正１】
【補正対象書類名】明細書
【補正対象項目名】０００８
【補正方法】変更
【補正の内容】
【０００８】
第２の目的のため、本発明に係る炊飯器は、トッププレートと、前記トッププレートの下方に配置された誘導加熱コイルと、前記誘導加熱コイルの加熱条件を入力する第２入力操作手段とを備えた箱型形状の誘導加熱調理部と、前記誘導加熱コイルによって加熱される内釜と、炊飯条件を入力する第１の入力操作部とを備えた炊飯部と、を備え、前記炊飯部は、前記誘導加熱調理部の前記トッププレートの上に置かれた状態において、前記誘導加熱コイルの駆動によって加熱されるものであり、前記誘導加熱調理部の内部には、前記誘導加熱コイルを冷却するための冷却風を供給する冷却ファンと、前記誘導加熱調理部と前記炊飯部との間で、炊飯のための制御情報を含んだ赤外線信号を伝達するための赤外線信号送受信部と、前記炊飯部の制御部のための電力を供給する送電コイルと、をそれぞれ設け、前記誘導加熱調理部は、プラスチック製の上蓋と、前記上蓋と重なり合う大きさを有したプラスチック製の下ケースとを上下に重ねて外殻ケースが形成され、前記下ケースの底部上面には、前記上蓋の方向に伸びて前記上蓋の荷重を受ける仕切り壁を一体に形成し、前記送電コイルは、前記下ケースの底部から上方に突設した支持脚で支持されているものである。
また、第２の目的のため、本発明に係る炊飯器は、被調理物を内部に収容する炊飯部と、前記炊飯部を上面に載せて加熱調理する誘導加熱調理部と、を備え、前記誘導加熱調理部は、前記炊飯部を加熱する誘導加熱コイルと、前記炊飯部が前記誘導加熱調理部に載置されたことを検知するリードスイッチと、前記誘導加熱コイルに冷却風を供給する冷却ファンと、を有し、前記誘導加熱調理部と前記炊飯部との間で赤外線信号を伝達する赤外線信号送受信部を有し、前記炊飯部は、外殻を形成する上ケースと、前記上ケースの下端面に隣接して前記上ケースの下方に設けた、耐熱性材料で形成された環状の下枠と、を備え、前記誘導加熱調理部は、プラスチック製の上蓋と、前記上蓋と重なり合う大きさを有したプラスチック製の下ケースと、を備え、前記下ケースの底部上面には、上方へ伸びた仕切り壁を一体に形成し、前記仕切り壁で前記誘導加熱調理部の内部空間を仕切ることにより、当該仕切り壁よりも前記誘導加熱コイル側に、前記冷却ファンの前記冷却風が流れる送風路を形成し、前記リードスイッチは、前記仕切り壁を挟んで前記冷却ファンと反対側に配置されているものである。
【手続補正２】
【補正対象書類名】特許請求の範囲
【補正対象項目名】全文
【補正方法】変更
【補正の内容】
【特許請求の範囲】
【請求項１】
被調理物を内部に収容する炊飯部と、
前記炊飯部を上面に載せて加熱調理する誘導加熱調理部と、を備え、
前記誘導加熱調理部は、前記炊飯部を加熱する誘導加熱コイルを有し、
前記誘導加熱調理部と前記炊飯部との間で赤外線信号を伝達する赤外線信号送受信部を備え、
前記炊飯部は、外殻を形成する上ケースと、前記上ケースの下端面に隣接して前記上ケースの下方に設けた、耐熱性材料で形成された環状の下枠と、を備え、
前記下枠には、前記炊飯部の底面を構成する下面から、前記誘導加熱調理部に向かって突き出す底面壁が、前記下枠の下面の外縁部に沿って設けられていることを特徴とする炊飯器。
【請求項２】
被調理物を内部に収容する炊飯部と、
前記炊飯部を上面に載せて加熱調理する誘導加熱調理部と、を備え、
前記誘導加熱調理部は、前記炊飯部を加熱する誘導加熱コイルを有し、
前記誘導加熱調理部と前記炊飯部との間で赤外線信号を伝達する赤外線信号送受信部を備え、
前記炊飯部は、外殻を形成する上ケースと、前記上ケースの下端面の下方に設けた耐熱性材料で形成された環状の下枠とを備え、
前記誘導加熱調理部は、前記炊飯部を載せるトッププレートを備えた耐熱性材料からなる上蓋と、前記上蓋によって上面開口が閉鎖された底のある下ケースと、を備え、
前記上蓋と前記下ケースとの間には、前記上蓋又は前記下ケースの少なくとも何れか一方と一体に形成された支柱又は仕切り壁の、少なくとも何れか一方を備えたことを特徴とする炊飯器。
【請求項３】
被調理物を内部に収容する炊飯部と、
前記炊飯部を上面に載せて加熱調理する誘導加熱調理部と、を備え、
前記誘導加熱調理部の内部には、前記炊飯部を加熱する誘導加熱コイルと、前記誘導加熱調理部と前記炊飯部との間で赤外線信号を伝達する赤外線信号送受信部と、前記誘導加熱コイルに冷却風を供給する冷却ファンと、をそれぞれ設け、
前記誘導加熱調理部は、プラスチック製の上蓋と、前記上蓋と重なり合う大きさを有したプラスチック製の下ケースと、を備え、
前記上蓋の上に前記炊飯部を載せるトッププレートが重ね合わせて固定され、
前記上蓋の下面には、前記誘導加熱コイルを保持するための取付座が一体に形成され、
前記下ケースの底部上面には、前記冷却ファンの吸気口の横において上方へ伸びた仕切り壁を一体に形成し、前記仕切り壁の上端と前記上蓋の下面との間には断熱性材料からなるクッション材が配置されており、
前記赤外線信号送受信部は、前記仕切り壁を挟んで前記冷却ファンと反対側に配置されていることを特徴とする炊飯器。
【請求項４】
被調理物を内部に収容する炊飯部と、
前記炊飯部を上面に載せて加熱調理する誘導加熱調理部と、を備え、
前記誘導加熱調理部の内部には、前記炊飯部を加熱する誘導加熱コイルと、前記炊飯部が前記誘導加熱調理部に載置されたことを検知するリードスイッチと、前記誘導加熱コイルに冷却風を供給する冷却ファンと、をそれぞれ設け、
前記誘導加熱調理部は、プラスチック製の上蓋と、前記上蓋と重なり合う大きさを有したプラスチック製の下ケースと、を備え、
前記上蓋の上に前記炊飯部を載せるトッププレートが重ね合わせて固定され、
前記下ケースの底部上面には、上方へ伸びた仕切り壁を一体に形成し、
前記リードスイッチは、前記仕切り壁を挟んで前記冷却ファンと反対側に配置されていることを特徴とする炊飯器。
【請求項５】
トッププレートと、前記トッププレートの下方に配置された誘導加熱コイルと、前記誘導加熱コイルの加熱条件を入力する第２入力操作手段とを備えた箱型形状の誘導加熱調理部と、
前記誘導加熱コイルによって加熱される内釜と、炊飯条件を入力する第１の入力操作部とを備えた炊飯部と、を備え、
前記炊飯部は、前記誘導加熱調理部の前記トッププレートの上に置かれた状態において、前記誘導加熱コイルの駆動によって加熱されるものであり、
前記誘導加熱調理部の内部には、前記誘導加熱コイルを冷却するための冷却風を供給する冷却ファンと、前記誘導加熱調理部と前記炊飯部との間で、炊飯のための制御情報を含んだ赤外線信号を伝達するための赤外線信号送受信部と、前記炊飯部の制御部のための電力を供給する送電コイルと、をそれぞれ設け、
前記誘導加熱調理部は、プラスチック製の上蓋と、前記上蓋と重なり合う大きさを有したプラスチック製の下ケースとを上下に重ねて外殻ケースが形成され、
前記下ケースの底部上面には、前記上蓋の方向に伸びて前記上蓋の荷重を受ける仕切り壁を一体に形成し、
前記送電コイルは、前記下ケースの底部から上方に突設した支持脚で支持されていることを特徴とする炊飯器。
【請求項６】
前記誘導加熱コイルの真下の位置に、インバーター回路を含む加熱回路基板を配置し、
前記誘導加熱コイルと前記加熱回路基板に対して、前記冷却ファンから同時並行的に冷却風を供給することを特徴とする請求項３又は４に記載の炊飯器。
【請求項７】
前記誘導加熱コイルの真下の位置に、インバーター回路を含む加熱回路基板を配置し、
前記誘導加熱コイルと前記加熱回路基板に対して、同時並行的に冷却風を供給する冷却ファンを更に備えたことを特徴とする請求項２又は５に記載の炊飯器。
【請求項８】
前記下ケースの下面に前記冷却ファンの吸気口を形成し、
前記加熱回路基板は、前記冷却ファンの吸気口の外側から見た場合、視線の陰に隠れるように配置していることを特徴とする請求項６又は７に記載の炊飯器。
【請求項９】
前記赤外線信号送受信部には、赤外線発光素子を有し、
前記赤外線発光素子は、前記仕切り壁に支持されていることを特徴とする請求項２、３、５の何れか１項に記載の炊飯器。
【請求項１０】
前記誘導加熱調理部の外殻を構成する部材が、プラスチック製の上蓋と、前記上蓋と重なり合う大きさを有したプラスチック製の有底の箱型の下ケースとによって構成されていることを特徴とする請求項１に記載の炊飯器。
【請求項１１】
前記誘導加熱調理部の外殻を構成する部材が、プラスチック製の上蓋と、前記上蓋と重なり合う大きさを有したプラスチック製の有底の箱型の下ケースとによって構成され、
前記上蓋の下面には、誘導加熱コイルを支持する耐熱プラスチック製の支持枠を支持する取付座を、一体成形によって形成していることを特徴とする請求項１に記載の炊飯器。
【請求項１２】
前記赤外線信号送受信部には、赤外線発光素子を有し、
前記赤外線発光素子の赤外線信号を透過させるための窓が、前記誘導加熱調理部と前記炊飯部とが重なりあって近接又は接触している前記上蓋の一部分に形成されていることを特徴とする請求項２、３、５、１０の何れか１項に記載の炊飯器。
【請求項１３】
前記誘導加熱調理部は、プラスチック製の上蓋と、前記上蓋と重なり合う大きさを有したプラスチック製の下ケースとを備え、
前記誘導加熱調理部の内部には、前記誘導加熱コイルによる加熱領域を避けて、前記誘導加熱コイルの周囲の少なくとも２カ所に、前記下ケースの上面から一体に上方へ伸びた支柱を形成していることを特徴とする請求項１に記載の炊飯器。
【請求項１４】
前記誘導加熱調理部の内部には、前記誘導加熱コイルによる加熱領域を避けて、前記誘導加熱コイルの周囲の少なくとも２カ所に、前記下ケースの上面から一体に上方へ伸びた支柱を形成していることを特徴とする請求項２又は３に記載の炊飯器。
【請求項１５】
前記仕切り壁の上端と前記上蓋の下面との間には断熱性材料からなるクッション材が配置されていることを特徴とする請求項４に記載の炊飯器。
【請求項１６】
前記上蓋の上に前記トッププレートが重ね合わせて固定されていることを特徴とする請求項２〜４の何れか１項に記載の炊飯器。
【請求項１７】
前記炊飯部が前記誘導加熱調理部に載置されたことを検出するリードスイッチを更に備え、
前記リードスイッチは、前記仕切り壁に支持されていることを特徴とする請求項２又は３に記載の炊飯器。
【請求項１８】
前記炊飯部が前記誘導加熱調理部に載置されたことを検出するリードスイッチを更に備え、
前記リードスイッチは、前記仕切り壁の真上に配置していることを特徴とする請求項２又は３に記載の炊飯器。
【請求項１９】
前記誘導加熱調理部と前記炊飯部との間で赤外線信号を伝達する赤外線信号送受信部を更に備え、
前記赤外線信号送受信部と前記リードスイッチは、前記誘導加熱コイルによる加熱領域を避けて前記誘導加熱調理部に設けたことを特徴とする請求項４に記載の炊飯器。
【請求項２０】
前記誘導加熱調理部と前記炊飯部との間で赤外線信号を伝達する赤外線信号送受信部を更に備え、
前記赤外線信号送受信部と前記リードスイッチは、前記誘導加熱コイルによる加熱領域を避けて前記誘導加熱調理部に設け、
前記赤外線信号送受信部と前記リードスイッチは、前記仕切り壁の真上に配置していることを特徴とする請求項４に記載の炊飯器。
【請求項２１】
前記支柱は、前記下ケースの底面から前記上蓋の方向に向かって垂直に一体に形成されていることを特徴とする請求項２に記載の炊飯器。
【請求項２２】
前記支柱は、前記下ケースの底面から前記上蓋の方向に向かって垂直に一体に形成され、
前記支柱は、前記誘導加熱コイルによる加熱領域を避けて、前記誘導加熱コイルの周囲の少なくとも２カ所に形成していることを特徴とする請求項２に記載の炊飯器。
【請求項２３】
前記支柱は、前記下ケースの底面から前記上蓋の方向に向かって前記下ケースの上面と一致する水平位置まで垂直に一体に形成され、前記水平位置で前記上蓋と接していることを特徴とする請求項２に記載の炊飯器。
【請求項２４】
前記支柱と前記上蓋との間には、クッション材又は断熱性の高い材料からなる介在物を介在させたことを特徴とする請求項２３に記載の炊飯器。
【請求項２５】
前記炊飯部又は前記誘導加熱調理部には、前記炊飯部で行った炊飯の重量を計測する重量センサーと、前記重量センサーの計測結果に応じてカロリー値を計算する制御部と、前記カロリー値を表示する表示部と、をそれぞれ備えたことを特徴とする請求項１〜５の何れか１項に記載の炊飯器。
【請求項２６】
前記炊飯部には、前記誘導加熱調理部から非接触給電で電源を受ける給電部を有していることを特徴とする請求項１〜５の何れか１項に記載の炊飯器。
【請求項２７】
前記炊飯部には、炊飯に関する情報を表示する第１の表示部と、前記誘導加熱調理部から非接触給電で電力を受ける給電部とを有し、
前記誘導加熱調理部には、誘導加熱調理に関する情報を表示する第２の表示部と、前記給電部へ電力を供給するための送電コイルとを備え、
前記炊飯部が前記誘導加熱調理部の上に載置されない状態では、前記第１の表示部は、前記給電部からの電力で動作することを特徴とする請求項１〜４の何れか１項に記載の炊飯器。
【請求項２８】
前記誘導加熱調理部の外殻を構成する部材が、プラスチック製の上蓋と、前記上蓋と重なり合う大きさを有したプラスチック製の有底の箱型の下ケースとによって構成され、
前記誘導加熱コイルの真下の位置に、インバーター回路を含む加熱回路基板を配置し、
前記誘導加熱コイルと前記加熱回路基板に対して、同時並行的に冷却風を供給する冷却ファンを更に備え、
前記下ケースの下面に前記冷却ファンの吸気口を形成し、
前記加熱回路基板は、前記冷却ファンの吸気口の外側から見た場合、視線の陰に隠れるように配置していることを特徴とする請求項１に記載の炊飯器。
【請求項２９】
前記炊飯部には、炊飯に関する情報を表示する第１の表示部と、前記誘導加熱調理部から非接触給電で電力を受ける給電部とを有し、
前記誘導加熱調理部には、誘導加熱調理に関する情報を表示する第２の表示部を備え、
前記送電コイルは、前記給電部へ電力を供給し、
前記炊飯部が前記誘導加熱調理部の上に載置されない状態では、前記第１の表示部は、前記給電部からの電力で動作することを特徴とする請求項５に記載の炊飯器。
【請求項３０】
被調理物を内部に収容する炊飯部と、
前記炊飯部を上面に載せて加熱調理する誘導加熱調理部と、を備え、
前記誘導加熱調理部は、前記炊飯部を加熱する誘導加熱コイルと、前記炊飯部が前記誘導加熱調理部に載置されたことを検知するリードスイッチと、前記誘導加熱コイルに冷却風を供給する冷却ファンと、を有し、
前記誘導加熱調理部と前記炊飯部との間で赤外線信号を伝達する赤外線信号送受信部を有し、
前記炊飯部は、外殻を形成する上ケースと、前記上ケースの下端面に隣接して前記上ケースの下方に設けた、耐熱性材料で形成された環状の下枠と、を備え、
前記誘導加熱調理部は、プラスチック製の上蓋と、前記上蓋と重なり合う大きさを有したプラスチック製の下ケースと、を備え、
前記下ケースの底部上面には、上方へ伸びた仕切り壁を一体に形成し、
前記仕切り壁で前記誘導加熱調理部の内部空間を仕切ることにより、当該仕切り壁よりも前記誘導加熱コイル側に、前記冷却ファンの前記冷却風が流れる送風路を形成し、
前記リードスイッチは、前記仕切り壁を挟んで前記冷却ファンと反対側に配置されていることを特徴とする炊飯器。
【国際調査報告】
2019064648.tif 000022
2019064648.tif 000023
2019064648.tif 000024
2019064648.tif 000025